(57)【特許請求の範囲】
【請求項１】
ユーザ端末または前記ユーザ端末のプロセッサにおける情報通知方法であって、
前記ユーザ端末にサービス提供している第1のセルから通知メッセージを受信するステップであって、前記通知メッセージは、第2のセルのシステム情報を取得するように前記ユーザ端末に指示するために用いられる、ステップと、
受信した通知メッセージにしたがって、前記第2のセルの前記システム情報を取得するステップと、
を含み、
前記通知メッセージは、前記第2のセルの前記システム情報を取得するためにどの手法を使用すべきかを示す情報を含み、
前記第2のセルの前記システム情報を取得するための前記手法は、
前記第2のセルによってブロードキャストされる前記第2のセルの前記システム情報を読み取ること、または、
前記第1のセルによって送信される前記第2のセルの前記システム情報を受信すること
のうちの1つである、方法。
【請求項２】
受信した通知メッセージにしたがって、前記第2のセルの前記システム情報を取得する前記ステップは、
アイドル状態から、前記第1のセルとの接続を確立し、確立された接続で前記第2のセルの前記システム情報を取得するステップ
を含む、請求項1に記載の方法。
【請求項３】
前記システム情報は、前記第2のセルのデバイス・トゥ・デバイス（D2D）リソース設定、および、セル再選択設定のうちの少なくとも1つを含む、請求項1または2に記載の方法。
【請求項４】
基地局または前記基地局のプロセッサにおける情報通知方法であって、
第1のセルによってサービス提供されるユーザ端末に対して、第2のセルのシステム情報を取得するためにどの手法を使用すべきかを示す情報を決定するステップと、
前記ユーザ端末へ通知メッセージを送信するステップであって、前記通知メッセージは決定した情報を含み、かつ、前記第2のセルのシステム情報を取得するように前記ユーザ端末に指示するために用いられる、ステップと、
を含み、
前記第2のセルの前記システム情報を取得するための前記手法は、
前記第2のセルによってブロードキャストされる前記第2のセルの前記システム情報を読み取ること、または、
前記第1のセルによって送信される前記第2のセルの前記システム情報を受信すること
のうちの1つである、方法。
【請求項５】
前記システム情報は、前記第2のセルのデバイス・トゥ・デバイス（D2D）リソース設定、および、セル再選択設定のうちの少なくとも1つを含む、請求項4に記載の方法。
【請求項６】
ユーザ端末または前記ユーザ端末のプロセッサである装置であって、
前記ユーザ端末にサービス提供している第1のセルから通知メッセージを受信するための受信手段であって、前記通知メッセージは、第2のセルのシステム情報を取得するように前記ユーザ端末に指示するために用いられる、受信手段と、
受信した通知メッセージにしたがって、前記第2のセルの前記システム情報を取得するための取得手段と、
を備え、
前記通知メッセージは、前記第2のセルの前記システム情報を取得するためにどの手法を使用すべきかを示す情報を含み、
前記第2のセルの前記システム情報を取得するための前記手法は、
前記第2のセルによってブロードキャストされる前記第2のセルの前記システム情報を読み取ること、または、
前記第1のセルによって送信される前記第2のセルの前記システム情報を受信すること
のうちの1つである、装置。
【請求項７】
受信した通知メッセージにしたがって、前記第2のセルの前記システム情報を取得することは、
アイドル状態から、前記第1のセルとの接続を確立し、確立された接続で前記第2のセルの前記システム情報を取得すること
を含む、請求項6に記載の装置。
【請求項８】
前記システム情報は、前記第2のセルのデバイス・トゥ・デバイス（D2D）リソース設定、および、セル再選択設定のうちの少なくとも1つを含む、請求項6または7に記載の装置。
【請求項９】
基地局または前記基地局のプロセッサである装置であって、
第1のセルによってサービス提供されるユーザ端末に対して、第2のセルのシステム情報を取得するためにどの手法を使用すべきかを示す情報を決定するための決定手段と、
前記ユーザ端末へ通知メッセージを送信するための送信手段であって、前記通知メッセージは決定した情報を含み、かつ、前記第2のセルのシステム情報を取得するように前記ユーザ端末に指示するために用いられる、送信手段と、
を備え、
前記第2のセルの前記システム情報を取得するための前記手法は、
前記第2のセルによってブロードキャストされる前記第2のセルの前記システム情報を読み取ること、または、
前記第1のセルによって送信される前記第2のセルの前記システム情報を受信すること
のうちの1つである、装置。
【請求項１０】
前記システム情報は、前記第2のセルのデバイス・トゥ・デバイス（D2D）リソース設定、および、セル再選択設定のうちの少なくとも1つを含む、請求項9に記載の装置。
【請求項１１】
請求項1から5のいずれか一項に記載の方法をコンピュータに実行させるプログラム命令を記録したコンピュータ読み取り可能な記録媒体。
【発明の詳細な説明】
【技術分野】
【０００１】
本発明は、通信技術の分野に関し、特に、情報通知方法、ユーザ端末、第1の基地局および第2の基地局に関する。
【背景技術】
【０００２】
デバイス・トゥ・デバイス（英語：Device to Device、略称：D2D）通信モードは、ユーザ装置（英語：User Equipment、略称：UE）とUEとが互いに発見し合って、ダイレクトリンクを確立し、確立されたダイレクトリンクを用いて通信を行うモードを指す。このモードでは、UE間で伝送される情報を、基地局を用いて中継する必要がない。
【０００３】
説明を簡単にするために、UEが位置するセルを第1のセルと呼び、第1のセルに隣接するセルを第2のセルと呼ぶ。第1のセルと第2のセルとは、同じ基地局によって管理されてもよいし、異なる基地局によって管理されてもよい。D2D通信モードでは、UEが第1のセルにより提供されるサービスを用いるとき、D2D通信を行うUEにより用いられるD2Dリソースは、第2のセルによって提供されてもよい。この場合、UEは、第2のセルによって送信されるシステム情報を受信して第2のセルにより提供されるD2Dリソース設定を学習し、これによってD2Dを実行する必要がある。さらに、通常、第2のセルのD2Dリソース設定は常に不変のままではなく、したがって、UEは第2のセルのシステム情報を定期的に読み取って第2のセルによってUEに対して提供される最新のD2Dリソース設定を取得する必要があり、これにより、第2のセルによって提供される最新のD2Dリソース設定を用いてD2Dを実行することができる。
【０００４】
前述から理解されるように、第2のセルにより提供されるD2Dリソース設定を用いてD2Dを実行するとき、UEは第2のセルのシステム情報を定期的に読み取る。しかし、通常、第2のセルのD2Dリソース設定は頻繁には変化しない。この場合において、UEが第2のセルのシステム情報を読み取る期間が比較的短く設定されている場合、UEが第2のセルのシステム情報を頻繁に読み取ることで、第2のセルによって提供され、かつ異なる時間にUEによって取得される複数のD2Dリソース設定が同じものになり、それにより、UEのバッテリパワーが消費され、したがって、UEの待機時間が短くなる。UEが第2のセルのシステム情報を読み取る期間が比較的長く設定されている場合、第2のセルのD2Dリソース設定が変化している可能性があっても、適時にUEによって読み取られず、この結果、期限切れのD2Dリソース設定をUEが用いるという問題が生じる。
【発明の概要】
【課題を解決するための手段】
【０００５】
本発明は、情報通知方法、ユーザ端末、第1の基地局および第2の基地局を提供し、これらを用いて、第2のセルのD2Dリソース設定が変化しても、適時にUEによって読み取られないので、期限切れのD2Dリソース設定をUEが用いるという問題を解決する。
【０００６】
第1の態様によれば、情報通知方法が提供され、本方法は、ユーザ装置（UE）により、管理されている第1のセルを用いて第1の基地局によって送信される通知メッセージを受信するステップであって、通知メッセージは、第2の基地局によって管理されている第2のセルのシステム情報を取得するようにUEに指示するために用いられる、ステップと、UEにより、受信した通知メッセージにしたがって、第2の基地局によって管理されている第2のセルのシステム情報を取得するステップとを含む。
【０００７】
第1の態様に関して、第1の態様の第1の可能な実施手法では、通知メッセージは、第2のセルのセル識別子を含み、UEにより、受信した通知メッセージにしたがって、第2の基地局によって管理されている第2のセルのシステム情報を取得するステップは、UEにより、受信した通知メッセージに含まれる第2のセルのセル識別子にしたがって、第2の基地局によって管理されている第2のセルのシステム情報を取得するステップを含む。
【０００８】
第1の態様に関して、第1の態様の第2の可能な実施手法では、通知メッセージは、第2のセルのシステム情報が変化する時間を含み、UEにより、受信した通知メッセージにしたがって、第2の基地局によって管理されている第2のセルのシステム情報を取得するステップは、UEにより、受信した通知メッセージ内にある、第2のセルのシステム情報が変化する時間にしたがって、第2の基地局によって管理されている第2のセルのシステム情報を取得するステップを含む。
【０００９】
第1の態様に関して、第1の態様の第3の可能な実施手法では、通知メッセージは、第2のセルのシステム情報の変更されたコンテンツを含み、UEにより、受信した通知メッセージにしたがって、第2の基地局によって管理されている第2のセルのシステム情報を取得するステップは、UEにより、受信した通知メッセージ内にある、第2のセルのシステム情報の変更されたコンテンツにしたがって、第2のセルのシステム情報を再び取得する必要があると判断するときに、第2の基地局によって管理されている第2のセルのシステム情報を取得するステップを含む。
【００１０】
第1の態様に関して、第1の態様の第4の可能な実施手法では、通知メッセージは、第2のセルのシステム情報をUEが取得するための手法を示す情報を含み、UEにより、受信した通知メッセージにしたがって、第2の基地局によって管理されている第2のセルのシステム情報を取得するステップは、UEにより、受信した通知メッセージによって示される、第2のセルのシステム情報を取得するための手法にしたがって、第2の基地局によって管理されている第2のセルのシステム情報を取得するステップを含み、第2のセルのシステム情報をUEが取得するための手法は、UEにより、第2のセルによってブロードキャストされる第2のセルのシステム情報を読み取る手法、または、第1のセルによって送信される第2のセルのシステム情報を受信する手法である。
【００１１】
第1の態様に関して、第1の態様の第5の可能な実施手法では、UEにより、受信した通知メッセージにしたがって、第2の基地局によって管理されている第2のセルのシステム情報を取得するステップは、UEにより、受信した通知メッセージにしたがって、第2のセルによってブロードキャストされる第2のセルのシステム情報を読み取るステップ、または、UEがアイドル状態にある場合に、UEにより、第1のセルとの接続を確立し、確立された接続で第2のセルのシステム情報を取得するステップを含む。
【００１２】
第2の態様によれば、情報通知方法が提供され、本方法は、第1の基地局により、第2の基地局によって送信される指示メッセージを受信するステップであって、指示メッセージは、ユーザ装置（UE）へ通知メッセージを送信するように第1の基地局に指示するために用いられる、ステップと、第1の基地局により、管理されている第1のセルを用いてUEへ通知メッセージを送信するステップであって、通知メッセージは、第2の基地局によって管理されている第2のセルのシステム情報を取得するようにUEに指示するために用いられる、ステップとを含む。
【００１３】
第2の態様に関して、第2の態様の第1の可能な実施手法では、第1の基地局により、第2の基地局によって送信される指示メッセージを受信するステップは、第1の基地局により、第2の基地局によって送信される指示メッセージを直接受信するステップ、または、第1の基地局により、第2の基地局によって送信されて、モビリティ・マネージメント・エンティティ（MME）によって転送される指示メッセージを受信するステップを含む。
【００１４】
第2の態様または第2の態様の第1の可能な実施手法に関して、第2の態様の第3の可能な実施手法では、指示メッセージは、第2のセルのセル識別子を含み、管理されている第1のセルを用いて第1の基地局によってUEへ送信される通知メッセージは、第2のセルのセル識別子をさらに含む。
【００１５】
第2の態様に関して、第2の態様の第4の可能な実施手法では、指示メッセージは、第2のセルのシステム情報が変化する時間を含み、管理されている第1のセルを用いて第1の基地局によってUEへ送信される通知メッセージは、第2のセルのシステム情報が変化する時間をさらに含む。
【００１６】
第2の態様に関して、第2の態様の第5の可能な実施手法では、指示メッセージは、第2のセルのシステム情報の変更されたコンテンツをさらに含み、管理されている第1のセルを用いて第1の基地局によってUEへ送信される通知メッセージは、第2のセルのシステム情報の変更されたコンテンツをさらに含む。
【００１７】
第2の態様に関して、第2の態様の第6の可能な実施手法では、指示メッセージは、第2のセルのシステム情報をUEが取得するための手法を示す情報をさらに含み、管理されている第1のセルを用いて第1の基地局によってUEへ送信される通知メッセージは、第2のセルのシステム情報をUEが取得するための手法を示す情報をさらに含み、第2のセルのシステム情報をUEが取得するための手法は、UEにより、第2のセルによってブロードキャストされる第2のセルのシステム情報を読み取る手法、または、UEにより、第1のセルによって送信される第2のセルのシステム情報を受信する手法である。
【００１８】
第2の態様に関して、第2の態様の第7の可能な実施手法では、第1の基地局により、管理されている第1のセルを用いてUEへ通知メッセージを送信するステップは、第1の基地局により、デバイス・トゥ・デバイス（D2D）通信モードにあるUEを取得するステップと、第1の基地局により、管理されている第1のセルを用いて、取得されたUEへ通知メッセージを送信するステップとを含む。
【００１９】
第2の態様または第2の態様の第7の可能な実施手法に関して、第2の態様の第8の可能な実施手法では、第1の基地局は、第1の基地局により、D2D通信モードにあるUEをMMEから取得する手法、第1の基地局により、D2D通信モードにあるUEを第2の基地局から取得する手法、または、第1の基地局により、保存されているD2D通信モードにあるUEを取得する手法のうちの少なくとも1つにしたがって、D2D通信モードにあるUEを取得する。
【００２０】
第2の態様のいずれか1つから第2の態様の第8の可能な実施手法までに関して、第2の態様の第9の可能な実施手法では、D2D通信モードにあるUEは、第2のセルによって提供されるリソース設定を用いてD2D通信モードを実行するUE、または、第2のセルが位置する場所の周波数のD2D通信モードにあるUEのうちの少なくとも1つを含む。
【００２１】
第3の態様によれば、情報通知方法が提供され、本方法は、第2の基地局により、第2の基地局によって管理されている第2のセルのシステム情報をユーザ装置（UE）が取得する必要があるか否かを判断するステップと、第2の基地局によって管理されている第2のセルのシステム情報をUEが取得する必要があると判断するとき、第2の基地局により、指示メッセージを第1の基地局へ送信するステップであって、指示メッセージは、管理されている第1のセルを用いて通知メッセージをUEへ送信するように第1の基地局に指示するために用いられ、通知メッセージは、第2の基地局によって管理されている第2のセルのシステム情報を取得するようにUEに指示するために用いられる、ステップとを含む。
【００２２】
第3の態様に関して、第3の態様の第1の可能な実施手法では、第2の基地局により、指示メッセージを第1の基地局へ送信するステップは、第2の基地局により、指示メッセージを第1の基地局へ直接送信するステップ、または、第2の基地局により、モビリティ・マネージメント・エンティティ（MME）を用いて、指示メッセージを第1の基地局へ転送するステップを含む。
【００２３】
第3の態様または第3の態様の第1の可能な実施手法に関して、第3の態様の第2の可能な実施手法では、指示メッセージは、第2のセルのセル識別子を含み、第2の基地局によって第1の基地局へ送信される指示メッセージは、第2のセルのセル識別子をさらに含む。
【００２４】
第3の態様または第3の態様の第1の可能な実施手法に関して、第3の態様の第3の可能な実施手法では、指示メッセージは、第2のセルのシステム情報が変化する時間を含み、第2の基地局によって第1の基地局へ送信される指示メッセージは、第2のセルのシステム情報が変化する時間をさらに含む。
【００２５】
第3の態様または第3の態様の第1の可能な実施手法に関して、第3の態様の第4の可能な実施手法では、指示メッセージは、第2のセルのシステム情報の変更されたコンテンツをさらに含み、第2の基地局によって第1の基地局へ送信される指示メッセージは、第2のセルのシステム情報の変更されたコンテンツをさらに含む。
【００２６】
第3の態様または第3の態様の第1の可能な実施手法に関して、第3の態様の第5の可能な実施手法では、指示メッセージは、第2のセルのシステム情報をUEが取得するための手法を示す情報をさらに含み、第2の基地局によって第1の基地局へ送信される指示メッセージは、第2のセルのシステム情報をUEが取得するための手法を示す情報をさらに含み、第2のセルのシステム情報をUEが取得するための手法は、UEにより、第2のセルによってブロードキャストされる第2のセルのシステム情報を読み取る手法、または、UEにより、第1のセルによって送信される第2のセルのシステム情報を受信する手法である。
【００２７】
第4の態様によれば、ユーザ端末が提供され、ユーザ端末は、管理されている第1のセルを用いて第1の基地局によって送信される通知メッセージを受信するように構成されている受信モジュールであって、通知メッセージは、第2の基地局によって管理されている第2のセルのシステム情報を取得するようにUEに指示するために用いられる、受信モジュールと、受信した通知メッセージにしたがって、第2の基地局によって管理されている第2のセルのシステム情報を取得するように構成されている取得モジュールとを含む。
【００２８】
第4の態様に関して、第4の態様の第1の可能な実施手法では、通知メッセージは、第2のセルのセル識別子を含み、取得モジュールは、受信した通知メッセージに含まれる第2のセルのセル識別子にしたがって、第2の基地局によって管理されている第2のセルのシステム情報を取得するように特に構成されている。
【００２９】
第4の態様に関して、第4の態様の第2の可能な実施手法では、通知メッセージは、第2のセルのシステム情報が変化する時間を含み、取得モジュールは、受信した通知メッセージ内にある、第2のセルのシステム情報が変化する時間にしたがって、第2の基地局によって管理されている第2のセルのシステム情報を取得するように特に構成されている。
【００３０】
第4の態様に関して、第4の態様の第3の可能な実施手法では、通知メッセージは、第2のセルのシステム情報の変更されたコンテンツを含み、取得モジュールは、受信した通知メッセージ内にある、第2のセルのシステム情報の変更されたコンテンツにしたがって、第2のセルのシステム情報を再び取得する必要があると判断されるときに、第2の基地局によって管理されている第2のセルのシステム情報を取得するように特に構成されている。
【００３１】
第4の態様に関して、第4の態様の第4の可能な実施手法では、通知メッセージは、第2のセルのシステム情報をUEが取得するための手法を示す情報を含み、取得モジュールは、受信した通知メッセージによって示される、第2のセルのシステム情報を取得するための手法にしたがって、第2の基地局によって管理されている第2のセルのシステム情報を取得するように特に構成され、第2のセルのシステム情報を取得するための手法は、第2のセルによってブロードキャストされる第2のセルのシステム情報を読み取る手法、または、第1のセルによって送信される第2のセルのシステム情報を受信する手法である。
【００３２】
第4の態様に関して、第4の態様の第5の可能な実施手法では、取得モジュールは、受信した通知メッセージにしたがって、第2のセルによってブロードキャストされる第2のセルのシステム情報を読み取るか、または、UEがアイドル状態にある場合に、第1のセルとの接続を確立し、確立された接続で第2のセルのシステム情報を取得するように特に構成されている。
【００３３】
第5の態様によれば、第1の基地局が提供され、第1の基地局は、第2の基地局によって送信される指示メッセージを受信するように構成されている受信モジュールであって、指示メッセージは、ユーザ装置（UE）へ通知メッセージを送信するように第1の基地局に指示するために用いられる、受信モジュールと、管理されている第1のセルを用いてUEへ通知メッセージを送信するように構成されている送信モジュールであって、通知メッセージは、第2の基地局によって管理されている第2のセルのシステム情報を取得するようにUEに指示するために用いられる、送信モジュールとを含む。
【００３４】
第5の態様に関して、第5の態様の第1の可能な実施手法では、受信モジュールは、第2の基地局によって送信される指示メッセージを直接受信するように、または、第2の基地局によって送信されて、モビリティ・マネージメント・エンティティ（MME）によって転送される指示メッセージを受信するように特に構成されている。
【００３５】
第5の態様または第5の態様の第1の可能な実施手法に関して、第5の態様の第3の可能な実施手法では、指示メッセージは、第2のセルのセル識別子を含み、管理されている第1のセルを用いてUEへ送信するように特に構成されている送信モジュールが送信する通知メッセージは、第2のセルのセル識別子をさらに含む。
【００３６】
第5の態様に関して、第5の態様の第4の可能な実施手法では、指示メッセージは、第2のセルのシステム情報が変化する時間を含み、管理されている第1のセルを用いてUEへ送信するように特に構成されている送信モジュールが送信する通知メッセージは、第2のセルのシステム情報が変化する時間をさらに含む。
【００３７】
第5の態様に関して、第5の態様の第5の可能な実施手法では、指示メッセージは、第2のセルのシステム情報の変更されたコンテンツをさらに含み、管理されている第1のセルを用いてUEへ送信するように特に構成されている送信モジュールが送信する通知メッセージは、第2のセルのシステム情報の変更されたコンテンツをさらに含む。
【００３８】
第5の態様に関して、第5の態様の第6の可能な実施手法では、指示メッセージは、第2のセルのシステム情報をUEが取得するための手法を示す情報をさらに含み、管理されている第1のセルを用いてUEへ送信するように特に構成されている送信モジュールが送信する通知メッセージは、第2のセルのシステム情報をUEが取得するための手法を示す情報をさらに含み、第2のセルのシステム情報をUEが取得するための手法は、UEにより、第2のセルによってブロードキャストされる第2のセルのシステム情報を読み取る手法、または、UEにより、第1のセルによって送信される第2のセルのシステム情報を受信する手法である。
【００３９】
第5の態様に関して、第5の態様の第7の可能な実施手法では、第1の基地局は、デバイス・トゥ・デバイス（D2D）通信モードにあるUEを取得するように構成されている取得モジュールをさらに含み、送信モジュールは、管理されている第1のセルを用いて取得されたUEへ通知メッセージを送信するように特に構成されている。
【００４０】
第5の態様または第5の態様の第7の可能な実施手法に関して、第5の態様の第8の可能な実施手法では、取得モジュールは、D2D通信モードにあるUEをMMEから取得する手法、D2D通信モードにあるUEを第2の基地局から取得する手法、または、第1の基地局に保存されているD2D通信モードにあるUEを取得する手法のうちの少なくとも1つにしたがって、D2D通信モードにあるUEを取得するように特に構成されている。
【００４１】
第5の態様のいずれか1つから第5の態様の第8の可能な実施手法までに関して、第5の態様の第9の可能な実施手法では、取得モジュールによって取得されるD2D通信モードにあるUEは、第2のセルによって提供されるリソース設定を用いてD2D通信モードを実行するUE、または、第2のセルが位置する場所の周波数のD2D通信モードにあるUEのうちの少なくとも1つを含む。
【００４２】
第6の態様によれば、第2の基地局が提供され、第2の基地局は、第2の基地局によって管理されている第2のセルのシステム情報をユーザ装置（UE）が取得する必要があるか否かを判断するように構成されている判断モジュールと、第2の基地局によって管理されている第2のセルのシステム情報をUEが取得する必要があると判断されるとき、指示メッセージを第1の基地局へ送信するように構成されている送信モジュールであって、指示メッセージは、管理されている第1のセルを用いて通知メッセージをUEへ送信するように第1の基地局に指示するために用いられ、通知メッセージは、第2の基地局によって管理されている第2のセルのシステム情報を取得するようにUEに指示するために用いられる、送信モジュールとを含む。
【００４３】
第6の態様に関して、第6の態様の第1の可能な実施手法では、送信モジュールは、指示メッセージを第1の基地局へ直接送信するように、または、モビリティ・マネージメント・エンティティ（MME）を用いて、指示メッセージを第1の基地局へ転送するように特に構成されている。
【００４４】
第6の態様または第6の態様の第1の可能な実施手法に関して、第6の態様の第2の可能な実施手法では、指示メッセージは、第2のセルのセル識別子を含み、第1の基地局へ送信するように特に構成されている送信モジュールによって送信される指示メッセージは、第2のセルのセル識別子をさらに含む。
【００４５】
第6の態様または第6の態様の第1の可能な実施手法に関して、第6の態様の第3の可能な実施手法では、指示メッセージは、第2のセルのシステム情報が変化する時間を含み、第1の基地局へ送信するように特に構成されている送信モジュールが送信する指示メッセージは、第2のセルのシステム情報が変化する時間をさらに含む。
【００４６】
第6の態様または第6の態様の第1の可能な実施手法に関して、第6の態様の第4の可能な実施手法では、指示メッセージは、第2のセルのシステム情報の変更されたコンテンツをさらに含み、第1の基地局へ送信するように特に構成されている送信モジュールが送信する指示メッセージは、第2のセルのシステム情報の変更されたコンテンツをさらに含む。
【００４７】
第6の態様または第6の態様の第1の可能な実施手法に関して、第6の態様の第5の可能な実施手法では、指示メッセージは、第2のセルのシステム情報をUEが取得するための手法を示す情報をさらに含み、第1の基地局へ送信するように特に構成されている送信モジュールが送信する指示メッセージは、第2のセルのシステム情報をUEが取得するための手法を示す情報をさらに含み、第2のセルのシステム情報をUEが取得するための手法は、UEにより、第2のセルによってブロードキャストされる第2のセルのシステム情報を読み取る手法、または、UEにより、第1のセルによって送信される第2のセルのシステム情報を受信する手法である。
【００４８】
第7の態様によれば、ユーザ端末が提供され、ユーザ端末は、プログラム命令を保存するように構成されているメモリと、管理されている第1のセルを用いて第1の基地局によって送信される通知メッセージを受信するように構成されているインタフェースであって、通知メッセージは、第2の基地局によって管理されている第2のセルのシステム情報を取得するようにUEに指示するために用いられる、インタフェースと、メモリに保存されているプログラム命令、およびインタフェースが受信した通知メッセージにしたがって、第2の基地局によって管理されている第2のセルのシステム情報を取得するように構成されている信号プロセッサとを含む。
【００４９】
第7の態様に関して、第7の態様の第1の可能な実施手法では、通知メッセージは、第2のセルのセル識別子を含み、信号プロセッサは、受信した通知メッセージに含まれる第2のセルのセル識別子にしたがって、第2の基地局によって管理されている第2のセルのシステム情報を取得するように特に構成されている。
【００５０】
第7の態様に関して、第7の態様の第2の可能な実施手法では、通知メッセージは、第2のセルのシステム情報が変化する時間を含み、信号プロセッサは、受信した通知メッセージ内にある、第2のセルのシステム情報が変化する時間にしたがって、第2の基地局によって管理されている第2のセルのシステム情報を取得するように特に構成されている。
【００５１】
第7の態様に関して、第7の態様の第3の可能な実施手法では、通知メッセージは、第2のセルのシステム情報の変更されたコンテンツを含み、信号プロセッサは、受信した通知メッセージ内にある、第2のセルのシステム情報の変更されたコンテンツにしたがって、第2のセルのシステム情報を再び取得する必要があると判断されるときに、第2の基地局によって管理されている第2のセルのシステム情報を取得するように特に構成されている。
【００５２】
第7の態様に関して、第7の態様の第4の可能な実施手法では、通知メッセージは、第2のセルのシステム情報をUEが取得するための手法を示す情報を含み、信号プロセッサは、受信した通知メッセージによって示される、第2のセルのシステム情報を取得するための手法にしたがって、第2の基地局によって管理されている第2のセルのシステム情報を取得するように特に構成され、第2のセルのシステム情報を取得するための手法は、第2のセルによってブロードキャストされる第2のセルのシステム情報を読み取る手法、または、第1のセルによって送信される第2のセルのシステム情報を受信する手法である。
【００５３】
第7の態様に関して、第7の態様の第5の可能な実施手法では、信号プロセッサは、受信した通知メッセージにしたがって、第2のセルによってブロードキャストされる第2のセルのシステム情報を読み取るように、または、UEがアイドル状態にある場合に、第1のセルとの接続を確立し、確立された接続で第2のセルのシステム情報を取得するように特に構成されている。
【００５４】
第8の態様によれば、第1の基地局が提供され、第1の基地局は、プログラム命令を保存するように構成されているメモリと、第2の基地局によって送信される指示メッセージを受信するように構成されているインタフェースであって、指示メッセージは、ユーザ装置（UE）へ通知メッセージを送信するように第1の基地局に指示するために用いられる、インタフェースと、メモリに保存されているプログラム命令にしたがって、管理されている第1のセルを用いてUEへ通知メッセージを送信するように構成されている信号プロセッサであって、通知メッセージは、第2の基地局によって管理されている第2のセルのシステム情報を取得するようにUEに指示するために用いられる、信号プロセッサとを含む。
【００５５】
第8の態様に関して、第8の態様の第1の可能な実施手法では、インタフェースは、第2の基地局によって送信される指示メッセージを直接受信するように、または、第2の基地局によって送信されて、モビリティ・マネージメント・エンティティ（MME）によって転送される指示メッセージを受信するように特に構成されている。
【００５６】
第8の態様または第8の態様の第1の可能な実施手法に関して、第8の態様の第3の可能な実施手法では、指示メッセージは、第2のセルのセル識別子を含み、第1の基地局によって管理されている第1のセルを用いてUEへ送信するように特に構成されている信号プロセッサが送信する通知メッセージは、第2のセルのセル識別子をさらに含む。
【００５７】
第8の態様に関して、第8の態様の第4の可能な実施手法では、指示メッセージは、第2のセルのシステム情報が変化する時間を含み、第1の基地局によって管理されている第1のセルを用いてUEへ送信するように特に構成されている信号プロセッサが送信する通知メッセージは、第2のセルのシステム情報が変化する時間をさらに含む。
【００５８】
第8の態様に関して、第8の態様の第5の可能な実施手法では、指示メッセージは、第2のセルのシステム情報の変更されたコンテンツを含み、第1の基地局によって管理されている第1のセルを用いてUEへ送信するように特に構成されている信号プロセッサが送信する通知メッセージは、第2のセルのシステム情報の変更されたコンテンツをさらに含む。
【００５９】
第8の態様に関して、第8の態様の第6の可能な実施手法では、指示メッセージは、第2のセルのシステム情報をUEが取得するための手法を示す情報をさらに含み、第1の基地局によって管理されている第1のセルを用いてUEへ送信するように特に構成されている信号プロセッサが送信する通知メッセージは、第2のセルのシステム情報をUEが取得するための手法を示す情報をさらに含み、第2のセルのシステム情報をUEが取得するための手法は、UEにより、第2のセルによってブロードキャストされる第2のセルのシステム情報を読み取る手法、または、UEにより、第1のセルによって送信される第2のセルのシステム情報を受信する手法である。
【００６０】
第8の態様に関して、第8の態様の第7の可能な実施手法では、信号プロセッサは、デバイス・トゥ・デバイス（D2D）通信モードにあるUEを取得し、第1の基地局によって管理されている第1のセルを用いて、取得されたUEへ通知メッセージを送信するようにさらに構成されている。
【００６１】
第8の態様または第8の態様の第7の可能な実施手法に関して、第8の態様の第8の可能な実施手法では、信号プロセッサは、D2D通信モードにあるUEをMMEから取得する手法、D2D通信モードにあるUEを第2の基地局から取得する手法、または、第1の基地局に保存されているD2D通信モードにあるUEを取得する手法のうちの少なくとも1つにしたがって、D2D通信モードにあるUEを取得するように特に構成されている。
【００６２】
第8の態様のいずれか1つから第8の態様の第8の可能な実施手法までに関して、第8の態様の第9の可能な実施手法では、信号プロセッサによって取得されるD2D通信モードにあるUEは、第2のセルによって提供されるリソース設定を用いてD2D通信モードを実行するUE、または、第2のセルが位置する場所の周波数のD2D通信モードにあるUEのうちの少なくとも1つを含む。
【００６３】
第9の態様によれば、第2の基地局が提供され、第2の基地局は、プログラム命令を保存するように構成されているメモリと、メモリに保存されているプログラム命令にしたがって、第2の基地局によって管理されている第2のセルのシステム情報をユーザ装置（UE）が取得する必要があるか否かを判断し、第2の基地局によって管理されている第2のセルのシステム情報をUEが取得する必要があると判断されるとき、指示メッセージを第1の基地局へ送信するように構成されている信号プロセッサであって、指示メッセージは、管理されている第1のセルを用いて通知メッセージをUEへ送信するように第1の基地局に指示するために用いられ、通知メッセージは、第2の基地局によって管理されている第2のセルのシステム情報を取得するようにUEに指示するために用いられる、信号プロセッサとを含む。
【００６４】
第9の態様に関して、第9の態様の第1の可能な実施手法では、信号プロセッサは、指示メッセージを第1の基地局へ直接送信するように、または、モビリティ・マネージメント・エンティティ（MME）を用いて、指示メッセージを第1の基地局へ転送するように特に構成されている。
【００６５】
第9の態様または第9の態様の第1の可能な実施手法に関して、第9の態様の第2の可能な実施手法では、指示メッセージは、第2のセルのセル識別子を含み、第1の基地局へ送信するように特に構成されている信号プロセッサによって送信される指示メッセージは、第2のセルのセル識別子をさらに含む。
【００６６】
第9の態様または第9の態様の第1の可能な実施手法に関して、第9の態様の第3の可能な実施手法では、指示メッセージは、第2のセルのシステム情報が変化する時間を含み、第1の基地局へ送信するように特に構成されている信号プロセッサが送信する指示メッセージは、第2のセルのシステム情報が変化する時間をさらに含む。
【００６７】
第9の態様または第9の態様の第1の可能な実施手法に関して、第9の態様の第4の可能な実施手法では、指示メッセージは、第2のセルのシステム情報の変更されたコンテンツをさらに含み、第1の基地局へ送信するように特に構成されている信号プロセッサが送信する指示メッセージは、第2のセルのシステム情報の変更されたコンテンツをさらに含む。
【００６８】
第9の態様または第9の態様の第1の可能な実施手法に関して、第9の態様の第5の可能な実施手法では、指示メッセージは、第2のセルのシステム情報をUEが取得するための手法を示す情報をさらに含み、第1の基地局へ送信するように特に構成されている信号プロセッサが送信する指示メッセージは、第2のセルのシステム情報をUEが取得するための手法を示す情報をさらに含み、第2のセルのシステム情報をUEが取得するための手法は、UEにより、第2のセルによってブロードキャストされる第2のセルのシステム情報を読み取る手法、または、UEにより、第1のセルによって送信される第2のセルのシステム情報を受信する手法である。
【００６９】
前述の技術的解決手段によって、第2の基地局は、第1の基地局へ指示情報を送信し、第1の基地局は、受信した指示情報にしたがってUEへ通知メッセージを送信し、UEは、管理されている第1のセルを用いて、第1の基地局によって送信される通知メッセージを受信し、受信した通知メッセージにしたがって、第2の基地局によって管理されている第2のセルのシステム情報を取得し、第2の基地局によって管理されている第2のセルのシステム情報が変化するとき、変化したシステム情報を取得するようにUEに指示することができ、また、UEは定期的に第2のセルのシステム情報を取得する必要がなく、これにより、UEのバッテリパワーが節約され、UEの待機時間が長くなる。さらに、第2のセルのリソース設定が変化するとき、UEは同様に変化したシステム情報を適時に取得してもよい。
【図面の簡単な説明】
【００７０】
【図１】本発明に係る情報通知システムの概略構造構成図である。
【図２】本発明の実施の形態2に係る情報通知方法のフローチャートである。
【図３】本発明の実施の形態4に係る情報通知方法のフローチャートである。
【図４】本発明の実施の形態5に係る情報通知装置の概略構造構成図である。
【図５】本発明の実施の形態5に係る第1の基地局の概略構造構成図である。
【図６】本発明の実施の形態5に係る第2の基地局の概略構造構成図である。
【図７】本発明の実施の形態に係るユーザ端末の概略構造構成図である。
【発明を実施するための形態】
【００７１】
UEは、第2のセルのシステム情報を頻繁に読み取り、それにより、UEのバッテリパワーが消費されたり、第2のセルのシステム情報をUEが読み取る期間が比較的長くなるように設定されたりし、また、第2のセルのD2Dリソース設定が変化しても、適時にUEによって読み取られない可能性があり、この結果、期限切れのD2Dリソース設定をUEが用いるという問題が生じる。本発明において提供される技術的解決手段では、第2の基地局は第1の基地局へ指示情報を送信し、第1の基地局は受信した指示情報にしたがってUEへ通知メッセージを送信し、UEは、管理されている第1のセルを用いて、第1の基地局によって送信される通知メッセージを受信し、受信した通知メッセージにしたがって、第2の基地局によって管理されている第2のセルのシステム情報を取得し、第2の基地局によって管理されている第2のセルのシステム情報が変化するとき、変化したシステム情報を取得するようにUEに指示することができ、また、UEは定期的に第2のセルのシステム情報を取得する必要がなく、これにより、UEのバッテリパワーが節約され、UEの待機時間が長くなる。さらに、第2のセルのリソース設定が変化するとき、UEは同様に変化したシステム情報を適時に取得してもよい。
【００７２】
本発明の実施の形態の技術的解決手段の主要な実施原理および特定の実施手法ならびに技術的解決手段によって、これに対応して実現することができる有益な効果は、添付の図面を参照して詳細に以下に記載される。
【００７３】
実施の形態1
本発明の実施の形態1により情報通知システムが提供される。説明を簡単にするために、セルおよび基地局を「第1」および「第2」を用いて区別する。図1に示されているように、システムは、少なくとも1つの第1のセルと、少なくとも1つの第2のセルと、少なくとも1つのUEとを含み、また、少なくとも1つのモビリティ・マネージメント・エンティティ（英語：Mobility Management Entity、略称：MME）（図示されていない）をさらに含んでもよい。
【００７４】
説明を簡単にするために、第1のセルが属する基地局を第1の基地局と呼び、第2のセルが属する基地局を第2の基地局と呼ぶ。以下の記載では、第1の基地局の第1のセルと、第1の基地局によって管理される第1のセルとは同じ意味を持ち、第2の基地局の第2のセルと、第2の基地局によって管理される第2のセルとは同じ意味を持つ。第2の基地局と第1の基地局とは異なる基地局であってもよいし、同じ基地局であってもよい。第2の基地局と第1の基地局とが同じ基地局であるとき、各実施の形態では、第2の基地局と第1の基地局との間の情報交換は、同じ基地局の内部のモジュール間の情報交換である。
【００７５】
本発明の実施の形態1によって提供される情報通知システムでは、同じ周波数の複数の第2のセルが存在してもよく、UEはD2D通信モードを用いて第2のセルにおいてデータを伝送してもよい。
【００７６】
第2の基地局は指示メッセージを送信するように構成されており、指示メッセージを用いて、通知メッセージをUEへ送信するように第1の基地局に指示する。
【００７７】
第2の基地局は指示メッセージをMMEへ直接送信してもよく、MMEは指示メッセージを第1の基地局へ送信し、あるいは、第2の基地局は指示メッセージを第1の基地局へ直接送信してもよい。
【００７８】
第2の基地局によって送信される指示メッセージは、以下の情報のうちの少なくとも1つを含んでもよい。
【００７９】
第1：第2の基地局によって管理される第2のセルのセル識別子。
【００８０】
第2の基地局によって管理される第2のセルの識別子は、第2の基地局によって管理されるすべての第2のセルのセル識別子であってもよいし、システム情報が変化する第2のセルの識別子であってもよい。
【００８１】
好ましい実施手法においては、本発明の実施の形態1において提供される技術的解決手段では、指示メッセージが第2のセルのセル識別子を含む場合、第2のセルは、システム情報が変化するセルである。
【００８２】
セル識別子は以下の手法のうちの少なくとも1つを含む。
【００８３】
A：セル識別子は、セルの物理セル識別子（英語：Physical Cell Identifier、略称：PCI）およびセルが位置する場所の周波数の識別子であってもよい。
【００８４】
本発明の実施の形態1において提供される技術的解決手段では、異なる周波数のセルが1つのPCIを共有してもよい。これによると、PCIを用いてセルを識別するとき、PCIを周波数識別子と組み合わせる必要があり、これにより、セル識別の正確度が改善する。
【００８５】
B：セル識別子は、発展ユニバーサルモバイル通信システム地上無線アクセス・ネットワーク・セル・グローバル識別子（英語：E-UTRAN Cell Global Identifier、略称：ECGI）であってもよい。
【００８６】
第2：第2のセルのシステム情報が変化する時間。
【００８７】
第2のセルのシステム情報が変化する時間はシステムフレーム番号（英語：System Frame Number、略称：SFN）であってもよい。SFNは第1のセルまたは第2のセルのシステムフレームの指示であり、第2のセルでは、システムフレームの開始時点または終了時点にシステム情報を変更してもよい。これの代わりに、第2のセルではまた、システムフレームの後の所定の時点にシステム情報を変更してもよい。たとえば、第2のセルのシステム情報が変化する時間が第1のセルのシステムフレームNの指示である場合、第2のセルは、第1のセルのシステムフレームN＋mの開始時点または終了時点にシステム情報を変更し、ここで、mは1，2，3などであってもよく、値はシステムのデフォルト値であるか、あるいはUE用に第1の基地局によって予め設定される。
【００８８】
第3：第2のセルのシステム情報の変更されたコンテンツ。
【００８９】
手法は、変化することになる第2のセルのシステム情報中のコンテンツであってもよい。変化することになる第2のセルのシステム情報中のコンテンツは、以下のうちの少なくとも1つを含んでもよい。
【００９０】
A：D2Dリソース設定。
【００９１】
すなわち、第2のセルにおいてD2Dを実行するUEによって用いられる受信または送信リソースである。
【００９２】
B：セル再選択設定。
【００９３】
C：システム情報のブロック（英語：Block）。
【００９４】
たとえば、第2のセルのD2Dリソース設定が変化することになる場合、指示メッセージは、D2Dリソース設定が変化することになることを示す指示を含む。第2のセルのセル再選択設定が変化することになる場合、指示メッセージは、セル再選択設定が変化することになることを示す指示を含む。第2のセルのシステム情報ブロック19（英語：System Information Block 19、略称：SIB19）が変化することになる場合、指示メッセージは、SIB19が変化することになることを示す指示を含む。
【００９５】
第4：第2のセルのシステム情報のすべてまたは一部。
【００９６】
この手法では、指示メッセージは第2のセルのシステム情報のすべてを含んでもよく、すなわち、第2のセルの最新のシステム情報であってもよく、あるいは、第2のセルの最新のシステム情報の一部であってもよい。たとえば、第2のセルのシステム情報中のD2Dリソース設定が変化する場合、情報は、変更されたD2Dリソース設定を含む、第2のセルのシステム情報であってもよいし、変更されたD2Dリソース設定のみであってもよい。
【００９７】
第5：第2のセルのシステム情報をUEが取得するための手法。
【００９８】
指示メッセージは、第2のセルのシステム情報をUEが取得するための手法を示す情報をさらに含んでもよい。この情報は、第2のセルのシステム情報をUEが取得するためにどの手法を使用すべきかを示す。
【００９９】
UEは2つの主要な手法で第2のセルのシステム情報を取得する。
【０１００】
A：UEは、第2のセルのシステムブロードキャストを直接読み取って、第2のセルのシステム情報を取得する。
【０１０１】
B：UEは、第1の基地局によって送信される第2のセルのシステム情報を受信する。
【０１０２】
具体的には、指示メッセージはセルのリストを含んでもよく、また、指示メッセージは、前述の手法Aまたは手法Bの1つを用いて、リストに含まれているセルのすべてのシステム情報をUEが取得する必要があることを示し、あるいは、指示メッセージは周波数のリストを含んでもよく、また、指示メッセージは、前述の手法Aまたは手法Bの1つを用いて、リストに含まれている周波数のセルのすべてのシステム情報をUEが取得する必要があることを示し、あるいは、指示メッセージは、公衆携帯電話網（英語：Public Land Mobile Network、略称：PLMN）のリストを含んでもよく、また、指示メッセージは、前述の手法Aまたは手法Bの1つを用いて、リストに含まれているPLMN上のセルのすべてのシステム情報をUEが取得する必要があることを示す。
【０１０３】
第1の基地局は、第2の基地局によって送信される指示メッセージを受信し、管理されている第1のセルを用いて通知メッセージをUEへ送信するように構成されている。
【０１０４】
第2の基地局によって送信される指示メッセージの異なる受信物にしたがって、第1の基地局は、第2の基地局によって送信される指示メッセージを直接受信してもよいし、第2の基地局によって送信される指示メッセージをMMEから取得してもよい。
【０１０５】
第1の基地局は、取得された指示メッセージから、以下の情報のうちの少なくとも1つを取得してもよい。
【０１０６】
第1：第2の基地局によって管理される第2のセルのセル識別子。
【０１０７】
第2の基地局によって管理される第2のセルの識別子は、第2の基地局によって管理されるすべての第2のセルのセル識別子であってもよいし、システム情報が変化する第2のセルの識別子であってもよい。
【０１０８】
好ましい実施手法においては、本発明の実施の形態1において提供される技術的解決手段では、指示メッセージが第2のセルのセル識別子を含む場合、第2のセルは、システム情報が変化するセルである。
【０１０９】
セル識別子は以下の手法のうちの少なくとも1つを含む。
【０１１０】
A：セル識別子は、セルの物理セル識別子、およびセルが位置する場所の周波数の識別子であってもよい。
【０１１１】
本発明の実施の形態1において提供される技術的解決手段では、異なる周波数のセルが1つのPCIを共有してもよい。これによると、PCIを用いてセルを識別するとき、PCIを周波数識別子と組み合わせる必要があり、これにより、セル識別の正確度が改善する。
【０１１２】
B：セル識別子はセルのECGIであってもよい。
【０１１３】
第2：第2のセルのシステム情報が変化する時間。
【０１１４】
第2のセルのシステム情報が変化する時間はSFNであってもよい。SFNは第1のセルまたは第2のセルのシステムフレームの指示であり、第2のセルでは、システムフレームの開始時点または終了時点にシステム情報を変更してもよい。これの代わりに、第2のセルではまた、システムフレームの後の所定の時点にシステム情報を変更してもよい。たとえば、第2のセルのシステム情報が変化する時間が第1のセルのシステムフレームNの指示である場合、第2のセルは、第1のセルのシステムフレームN＋mの開始時点または終了時点にシステム情報を変更し、ここで、mは1，2，3などであってもよく、値はシステムのデフォルト値であるか、あるいはUE用に第1の基地局によって予め設定される。
【０１１５】
第3：第2のセルのシステム情報の変更されたコンテンツ。
【０１１６】
手法は、変化することになる第2のセルのシステム情報中のコンテンツであってもよい。変化することになる第2のセルのシステム情報中のコンテンツは、以下のうちの少なくとも1つを含んでもよい。
【０１１７】
A：D2Dリソース設定。
【０１１８】
すなわち、第2のセルにおいてD2Dを実行するUEによって用いられる受信または送信リソースである。
【０１１９】
B：セル再選択設定。
【０１２０】
C：システム情報のブロック（英語：Block）。
【０１２１】
たとえば、第2のセルのD2Dリソース設定が変化することになる場合、指示メッセージは、D2Dリソース設定が変化することになることを示す指示を含む。第2のセルのセル再選択設定が変化することになる場合、指示メッセージは、セル再選択設定が変化することになることを示す指示を含む。第2のセルのシステム情報ブロック19（英語：System Information Block 19、略称：SIB19）が変化することになる場合、指示メッセージは、SIB19が変化することになることを示す指示を含む。
【０１２２】
第4：第2のセルのシステム情報のすべてまたは一部。
【０１２３】
この手法では、指示メッセージは第2のセルのシステム情報のすべてを含んでもよく、すなわち、第2のセルの最新のシステム情報であってもよく、あるいは、第2のセルの最新のシステム情報の一部であってもよい。たとえば、第2のセルのシステム情報中のD2Dリソース設定が変化する場合、情報は、変更されたD2Dリソース設定を含む、第2のセルのシステム情報であってもよいし、変更されたD2Dリソース設定のみであってもよい。
【０１２４】
第5：第2のセルのシステム情報をUEが取得するための手法。
【０１２５】
指示メッセージは、第2のセルのシステム情報をUEが取得するための手法を示す情報をさらに含んでもよい。この情報は、第2のセルのシステム情報をUEが取得するためにどの手法を使用すべきかを示す。
【０１２６】
UEは2つの主要な手法で第2のセルのシステム情報を取得する。
【０１２７】
A：UEは、第2のセルのシステムブロードキャストを読み取って、第2のセルのシステム情報を取得する。
【０１２８】
B：UEは、第1の基地局によって送信される第2のセルのシステム情報を受信する。
【０１２９】
具体的には、指示メッセージはセルのリストを含んでもよく、また、指示メッセージは、前述の手法Aまたは手法Bの1つを用いて、リストに含まれているセルのすべてのシステム情報をUEが取得する必要があることを示し、あるいは、指示メッセージは周波数のリストを含んでもよく、また、指示メッセージは、前述の手法Aまたは手法Bの1つを用いて、リストに含まれている周波数のセルのすべてのシステム情報をUEが取得する必要があることを示し、あるいは、指示メッセージは、PLMNのリストを含んでもよく、また、指示メッセージは、前述の手法Aまたは手法Bの1つを用いて、リストに含まれているPLMN上のセルのすべてのシステム情報をUEが取得する必要があることを示す。
【０１３０】
前述から理解することができるように、第1の基地局が受信する指示メッセージに含まれる情報にしたがって、第1の基地局によってUEへ送信される通知メッセージは、第2の基地局によって管理されている第2のセルのセル識別子、第2のセルのシステム情報が変化する時間、第2のセルのシステム情報の変更されたコンテンツ、第2のセルのシステム情報のすべてまたは一部、第2のセルのシステム情報をUEが取得するための手法を示す情報などの取得される指示メッセージ中の情報を含んでもよい。具体的な詳細については、前述の内容の詳細な説明を参照し、これ以上の詳細は説明しない。
【０１３１】
本発明のこの実施の形態において提供される前述の技術的解決手段では、第2の基地局によって送信される指示メッセージを受信しないとき、第1の基地局はこの場合もUEへ通知メッセージを送信してもよい。この場合、通知メッセージ中の情報は、指示メッセージを用いて第2の基地局によって第1の基地局へ送信される代わりに、第1の基地局によって生成される。たとえば、第1の基地局へ指示メッセージを第2の基地局が送信せず、第2の基地局の第2のセルのシステム情報をUEが取得する必要があると第1の基地局が判断し、システム情報をUEが取得するための手法を第1の基地局が決定する場合、第1の基地局はUEへ通知メッセージを送信してもよく、このメッセージは、第1の基地局によって決定された、第2の基地局の第2のセルのシステム情報をUEが取得するための手法を含む。
【０１３２】
第2の基地局によって送信される指示メッセージを受信した後に、第1の基地局は、指示メッセージ中で搬送されたいくつかの情報に適切な変換をさらに行ってもよく、その後、変換を通じて取得される新しい情報を通知メッセージに入れてもよく、通知メッセージをUEへ送信してもよい。たとえば、第1の基地局は第2の基地局によって送信される指示メッセージを受信し、この場合、指示メッセージは、第2のセルのシステム情報が変化する時間を含み、ただし、時間は第2のセルのSFNであり、第1の基地局は、第2のセルのSFNを第1のセルのSFNに変換してもよく、その後、第2のセルのシステム情報が変化する時間として変換を通じて取得される第1のセルのSFNを用い、時間を通知メッセージに入れ、通知メッセージをUEへ送信する。
【０１３３】
UEへ通知メッセージを第1の基地局が送信することは、第1のセル内のすべてのUEへ通知メッセージを送信することであってもよいし、第1のセルにある、D2D通信モードにあるUEへ通知メッセージを送信することであってもよい。
【０１３４】
第1のセルにある、D2D通信モードにあるUEへ通知メッセージを第1の基地局が送信する場合、第1の基地局は、どのUEがD2D通信モードにあるか学習する必要がある。
【０１３５】
D2D通信モードのUEは以下のうちの少なくとも1つを含む。
【０１３６】
A：第2のセルにあるD2DモードのUE。
【０１３７】
この手法では、第2のセルにある、D2DモードにあるUEは、第2のセルにより提供されるリソース設定を用いてD2D通信モードを実行するUEを指す。
【０１３８】
B：第2のセルが位置する場所の周波数のD2DモードにあるUE。
【０１３９】
第1の基地局は、以下の手法のうちの少なくとも1つにしたがって、どのUEがD2D通信モードにあるかを学習する。
【０１４０】
第1の手法：第1の基地局はD2D通信モードにあるUEをMMEから学習する。
【０１４１】
この手法では、第1の基地局は、D2D通信モードにあるUEをMMEから取得する。
【０１４２】
第2の手法：第1の基地局はD2D通信モードにあるUEを第2の基地局から取得する。
【０１４３】
第3の手法：第1の基地局は、保存されている、D2D通信モードにあるUEを取得する。
【０１４４】
この手法では、第1の基地局は、どのUEがD2D通信モードにあるかについての情報を予め保存する。
【０１４５】
前述の3つの手法では、D2D通信モードを用いてデータを伝送する前、UEは、MME、第2の基地局または第1の基地局についての認証を実行する必要があり、MME、第2の基地局または第1の基地局についての認証が成功するときのみ、UEはD2D通信モードでデータを伝送することができる。したがって、第2の基地局、MMEまたは第1の基地局の1つまたはすべてが、どのUEがD2D通信モードにあるかについての情報を保存する。
【０１４６】
UEは、管理されている第1のセルを用いて第1の基地局によって送信される通知メッセージを受信するように構成されており、UEは、受信した通知メッセージにしたがって、第2の基地局によって管理されている第2のセルのシステム情報を取得する。
【０１４７】
UEが受信した通知メッセージを用いて、第2の基地局によって管理されている第2のセルのシステム情報を取得するようにUEに指示する。
【０１４８】
UEが受信する通知メッセージは以下の情報のうちの少なくとも1つを含んでもよい。
【０１４９】
第1：第2の基地局によって管理される第2のセルのセル識別子。
【０１５０】
第2の基地局によって管理される第2のセルの識別子は、第2の基地局によって管理されるすべての第2のセルのセル識別子であってもよいし、システム情報が変化する第2のセルの識別子であってもよい。
【０１５１】
好ましい実施手法においては、本発明の実施の形態1において提供される技術的解決手段では、通知メッセージが第2のセルのセル識別子を含む場合、第2のセルは、システム情報が変化するセルである。
【０１５２】
セル識別子は以下の手法のうちの少なくとも1つを含む。
【０１５３】
A：セル識別子は、セルの物理セル識別子、およびセルが位置する場所の周波数の識別子であってもよい。
【０１５４】
本発明の実施の形態1において提供される技術的解決手段では、異なる周波数のセルが1つのPCIを共有してもよい。これによると、PCIを用いてセルを識別するとき、PCIを周波数識別子と組み合わせる必要があり、これにより、セル識別の正確度が改善する。
【０１５５】
B：セル識別子はセルのECGIであってもよい。
【０１５６】
この手法では、UEは、受信した通知メッセージにしたがって、第2の基地局によって管理されている第2のセルのシステム情報を取得し、この場合、第2のセルは、通知メッセージ中のセル識別子に対応する第2のセルである。
【０１５７】
第2：第2のセルのシステム情報が変化する時間。
【０１５８】
第2のセルのシステム情報が変化する時間はSFNであってもよい。SFNは第1のセルまたは第2のセルのシステムフレームの指示であり、第2のセルでは、システムフレームの開始時点または終了時点にシステム情報を変更してもよい。これの代わりに、第2のセルではまた、システムフレームの後の所定の時点にシステム情報を変更してもよい。たとえば、第2のセルのシステム情報が変化する時間が第1のセルのシステムフレームNの指示である場合、第2のセルは、第1のセルのシステムフレームN＋mの開始時点または終了時点にシステム情報を変更し、ここで、mは1，2，3などであってもよく、値はシステムのデフォルト値であるか、あるいはUE用に第1の基地局によって予め設定される。
【０１５９】
この手法では、UEは、受信した通知メッセージ内にある、第2のセルのシステム情報が変化する時間にしたがって、第2の基地局によって管理されている第2のセルのシステム情報を取得する。
【０１６０】
好ましい実施手法では、通知メッセージがセル識別子をさらに含む場合、UEは、受信した通知メッセージ内にある、第2のセルのシステム情報が変化する時間にしたがって、セル識別子に対応する第2のセルのシステム情報を取得する。たとえば、UEは、情報によって示される時点に第2のセルのシステム情報を取得してもよい。
【０１６１】
この手法では、第1の基地局によって送信されて、UEが受信する通知メッセージが、第2のセルのシステム情報が変化する時間を含まない場合、UEは、第2のセルのシステム情報が変化する時間を以下の2つの手法で取得してもよい。
【０１６２】
1）通知メッセージを受信するとき、第2のセル識別子に対応する第2のセルのシステム情報を取得する。
【０１６３】
第1の基地局によって送信される通知メッセージを受信するとき、UEは、第2のセル識別子に対応する第2のセルの、通知メッセージ中のシステム情報を直ちに取得し始める。
【０１６４】
2）UEは、通知メッセージを受信した時間にしたがって、第2のセルのシステム情報を取得する時間を決定し、第2のセルのシステム情報を取得する時間に達するとき、第2のセル識別子に対応する第2のセルのシステム情報を取得する。
【０１６５】
たとえば、時間をいくつかの連続したシステム情報修正期間（英語：Modification Period、略称：MP）に予め分割してもよく、この場合、各MPは、第1のセルのいくつかの連続したシステムフレーム（英語：System Frame、略称：SF）を含む。第1の基地局がN番目のMPで通知メッセージをUEへ送信していた場合、UEは、（N＋m）番目のMPで第2のセルのシステムブロードキャストを読み取り始めて、第2のセルのシステム情報を取得するか、あるいは、UEは、（N＋m）番目のMPで第1の基地局に対する接続要求を開始し始めて、確立された接続で、第1の基地局によって送信される第2のセルのシステム情報を受信し、ここで、mの値は1，2，3などであってもよく、あるいは、mの値はシステムのデフォルト値であってもよいし、UE用に第1の基地局によって予め設定されてもよい。
【０１６６】
第3：第2のセルのシステム情報の変更されたコンテンツ。
【０１６７】
この手法は、第2のセルのシステム情報中のどのコンテンツが変化するかについてのものであってもよい。UEは、受信した通知メッセージ中にある第2のセルのシステム情報の変更されたコンテンツにしたがって、第2のセルのシステム情報を再び取得する必要があると判断するとき、第2の基地局によって管理されている第2のセルのシステム情報を取得する。
【０１６８】
この手法では、通知メッセージは、第2のセルのシステム情報のどのコンテンツが変化するかについての情報を含み、それに応じてUEは、第2のセルのシステム情報を再び取得する必要があるか否かを判断してもよい。UEは、通知メッセージによって示されている、第2のセルのシステム情報のどのコンテンツが変化するかについての情報にしたがって、第2のセルのシステム情報を再び取得する必要があるか否かを判断し、第2のセルのシステム情報を再び取得する必要があると判断した後、第2のセル識別子に対応する第2のセルのシステム情報を取得する。
【０１６９】
変化することになる第2のセルのシステム情報中のコンテンツは、以下のうちの少なくとも1つを含んでもよい。
【０１７０】
A：D2Dリソース設定。
【０１７１】
すなわち、第2のセルにおいてD2Dを実行するUEによって用いられる受信または送信リソースである。
【０１７２】
B：セル再選択設定。
【０１７３】
C：システム情報のブロック（英語：Block）。
【０１７４】
たとえば、第2のセルのD2Dリソース設定が変化することになる場合、通知メッセージは、D2Dリソース設定が変化することになることを示す指示を含む。第2のセルのセル再選択設定が変化することになる場合、通知メッセージは、セル再選択設定が変化することになることを示す指示を含む。第2のセルのシステム情報ブロック19（英語：System Information Block 19、略称：SIB19）が変化することになる場合、通知メッセージは、SIB19が変化することになることを示す指示を含む。
【０１７５】
たとえば、通知メッセージが、第2のセルのシステム情報中のD2Dリソース設定が変化することになるという情報を含むとき、第2のセルのD2Dリソース設定を用いているUEは、第2のセルのシステム情報を再び取得する必要があり、別のUEは第2のセルのシステム情報を取得しなくてもよい。
【０１７６】
別の例については、通知メッセージが、第2のセルのシステム情報中のSIB19が変化することになるという情報を含むとき、第2のセルのSIB19を用いているUEは、第2のセルのシステム情報を再び取得する必要があり、別のUEは第2のセルのシステム情報を取得しなくてもよい。
【０１７７】
第4：第2のセルのシステム情報のすべてまたは一部。
【０１７８】
この手法では、通知メッセージは第2のセルのシステム情報のすべてを含んでもよく、すなわち、第2のセルの最新のシステム情報であってもよく、あるいは、第2のセルの最新のシステム情報の一部であってもよい。たとえば、第2のセルのシステム情報中のD2Dリソース設定が変化する場合、情報は、変更されたD2Dリソース設定を含む、第2のセルのシステム情報であってもよいし、変更されたD2Dリソース設定のみであってもよい。
【０１７９】
第5：第2のセルのシステム情報をUEが取得するための手法。
【０１８０】
通知メッセージは、第2のセルのシステム情報をUEが取得するための手法を示す情報をさらに含んでもよい。この情報は、第2のセルのシステム情報をUEが取得するためにどの手法を使用すべきかを示す。UEは、受信した通知メッセージ中にある、第2のセルのシステム情報を取得するための手法にしたがって、第2の基地局によって管理されている第2のセルのシステム情報を取得する。
【０１８１】
UEは2つの主要な手法で第2のセルのシステム情報を取得する。
【０１８２】
A：UEは、第2のセルのシステムブロードキャストを読み取って、第2のセルのシステム情報を取得する。
【０１８３】
B：UEは、第1の基地局によって送信される第2のセルのシステム情報を受信する。
【０１８４】
具体的には、通知メッセージはセルのリストを含んでもよく、また、通知メッセージは、前述の手法Aまたは手法Bの1つを用いて、リストに含まれているセルのすべてのシステム情報をUEが取得する必要があることを示し、あるいは、通知メッセージは周波数のリストを含んでもよく、また、通知メッセージは、前述の手法Aまたは手法Bの1つを用いて、リストに含まれている周波数のセルのすべてのシステム情報をUEが取得する必要があることを示し、あるいは、通知メッセージは、PLMNのリストを含んでもよく、また、通知メッセージは、前述の手法Aまたは手法Bの1つを用いて、リストに含まれているPLMN上のセルのすべてのシステム情報をUEが取得する必要があることを示す。
【０１８５】
通知メッセージが第2のセルのシステム情報のすべてまたは一部を含むとき、UEは通知メッセージから第2のセルのシステム情報を直接取得する。通知メッセージが第2のセルのシステム情報のすべてまたは一部を含まないとき、UEは、第2のセルのシステム情報を取得する第5の情報にしたがって、前述の2つの手法のうちの1つを選択する。第1の手法を用いて第2のセルのシステム情報をUEが取得することを第5の情報が示す場合、UEは、第2のセルのシステムブロードキャストを読み取って、第2のセルのシステム情報を取得する。
【０１８６】
UEは、第1の基地局を用いて受信した通知メッセージにしたがって、第2のセルによってブロードキャストされる第2のセルのシステム情報を取得してもよく、すなわち、UEは、受信した通知メッセージにしたがって、第2のセルによってブロードキャストされる第2のセルのシステム情報を読み取る。
【０１８７】
UEがアイドル状態にある場合、UEは第1のセルとの接続を確立して、確立された接続で第2のセルのシステム情報を取得する。
【０１８８】
第2の手法を用いて第2のセルのシステム情報をUEが取得することを第5の情報が示す場合には、UEと第1の基地局とが接続されるとき、UEは、第1の基地局によって送信される第2のセルのシステム情報を当該接続で受信し、UEと第1の基地局とが接続されていないとき、すなわち、UEがアイドル状態にあるとき、UEは、第1の基地局との接続を確立する、第1の基地局に対する接続要求を開始し、第1の基地局によって送信される第2のセルのシステム情報を確立された接続で受信する。
【０１８９】
実施の形態2
図1に示されているシステムアーキテクチャに基づいて、本発明の実施の形態2により情報通知方法が提供される。説明を簡単にするために、セルおよび基地局を「第1」および「第2」を用いて区別する。第1のセルが属する基地局を第1の基地局と呼び、第2のセルが属する基地局を第2の基地局と呼ぶ。以下の記載では、第1の基地局の第1のセルと、第1の基地局によって管理される第1のセルとは同じ意味を持ち、第2の基地局の第2のセルと、第2の基地局によって管理される第2のセルとは同じ意味を持つ。第2の基地局と第1の基地局とは異なる基地局であってもよいし、同じ基地局であってもよい。第2の基地局と第1の基地局とが同じ基地局であるとき、各実施の形態では、第2の基地局と第1の基地局との間の情報交換は、同じ基地局の内部のモジュール間の情報交換である。
【０１９０】
本発明の実施の形態2において提供される情報通知方法では、同じ周波数の複数の第2のセルが存在してもよく、UEはD2D通信モードを用いて第2のセルにおいてデータを伝送してもよい。図2に示されているように、具体的な処理手順は以下の通りである。
【０１９１】
ステップ201：第2の基地局によって管理されている第2のセルのシステム情報をUEが取得する必要があるか否かを第2の基地局が判断し、判断結果が、必要ありである場合、202を実行し、必要なしである場合、処理を終了する。
【０１９２】
ステップ202：第2の基地局によって管理されている第2のセルのシステム情報をUEが取得する必要があると判断されるとき、第2の基地局は第1の基地局へ指示メッセージを送信する。
【０１９３】
指示メッセージを用いて、管理されている第1のセルを用いてUEへ通知メッセージを送信するように第1の基地局に指示し、この場合、通知メッセージを用いて、第2の基地局によって管理されている第2のセルのシステム情報を取得するようにUEに指示する。
【０１９４】
第2の基地局は指示メッセージをMMEへ直接送信してもよく、MMEは指示メッセージを第1の基地局へ送信し、あるいは、第2の基地局は指示メッセージを第1の基地局へ直接送信してもよい。
【０１９５】
第2の基地局によって送信される指示メッセージは、以下の情報のうちの少なくとも1つを含んでもよい。
【０１９６】
第1：第2の基地局によって管理される第2のセルのセル識別子。
【０１９７】
第2の基地局によって管理される第2のセルの識別子は、第2の基地局によって管理されるすべての第2のセルのセル識別子であってもよいし、システム情報が変化する第2のセルの識別子であってもよい。
【０１９８】
好ましい実施手法においては、本発明の実施の形態2において提供される技術的解決手段では、指示メッセージが第2のセルのセル識別子を含む場合、第2のセルは、システム情報が変化するセルである。
【０１９９】
セル識別子は以下の手法のうちの少なくとも1つを含む。
【０２００】
A：セル識別子は、セルの物理セル識別子、およびセルが位置する場所の周波数の識別子であってもよい。
【０２０１】
本発明の実施の形態2において提供される技術的解決手段では、異なる周波数のセルが1つのPCIを共有してもよい。これによると、PCIを用いてセルを識別するとき、PCIを周波数識別子と組み合わせる必要があり、これにより、セル識別の正確度が改善する。
【０２０２】
B：セル識別子はセルのECGIであってもよい。
【０２０３】
第2：第2のセルのシステム情報が変化する時間。
【０２０４】
第2のセルのシステム情報が変化する時間はシステムフレーム番号（英語：System Frame Number、略称：SFN）であってもよい。SFNは第1のセルまたは第2のセルのシステムフレームの指示であり、第2のセルでは、システムフレームの開始時点または終了時点にシステム情報を変更してもよい。これの代わりに、第2のセルではまた、システムフレームの後の所定の時点にシステム情報を変更してもよい。たとえば、第2のセルのシステム情報が変化する時間が第1のセルのシステムフレームNの指示である場合、第2のセルは、第1のセルのシステムフレームN＋mの開始時点または終了時点にシステム情報を変更し、ここで、mは1，2，3などであってもよく、値はシステムのデフォルト値であるか、あるいはUE用に第1の基地局によって予め設定される。
【０２０５】
第3：第2のセルのシステム情報の変更されたコンテンツ。
【０２０６】
手法は、変化することになる第2のセルのシステム情報中のコンテンツであってもよい。変化することになる第2のセルのシステム情報中のコンテンツは、以下のうちの少なくとも1つを含んでもよい。
【０２０７】
A：D2Dリソース設定。
【０２０８】
すなわち、第2のセルにおいてD2Dを実行するUEによって用いられる受信または送信リソースである。
【０２０９】
B：セル再選択設定。
【０２１０】
C：システム情報のブロック（英語：Block）。
【０２１１】
たとえば、第2のセルのD2Dリソース設定が変化することになる場合、指示メッセージは、D2Dリソース設定が変化することになることを示す指示を含む。第2のセルのセル再選択設定が変化することになる場合、指示メッセージは、セル再選択設定が変化することになるという指示を含む。第2のセルのシステム情報ブロック19（英語：System Information Block 19、略称：SIB19）が変化することになる場合、指示メッセージは、SIB19が変化することになるという指示を含む。
【０２１２】
第4：第2のセルのシステム情報のすべてまたは一部。
【０２１３】
この手法では、指示メッセージは第2のセルのシステム情報のすべてを含んでもよく、すなわち、第2のセルの最新のシステム情報であってもよく、あるいは、第2のセルの最新のシステム情報の一部であってもよい。たとえば、第2のセルのシステム情報中のD2Dリソース設定が変化する場合、情報は、変更されたD2Dリソース設定を含む、第2のセルのシステム情報であってもよいし、変更されたD2Dリソース設定のみであってもよい。
【０２１４】
第5：第2のセルのシステム情報をUEが取得するための手法。
【０２１５】
指示メッセージは、第2のセルのシステム情報をUEが取得するための手法を示す情報をさらに含んでもよい。この情報は、第2のセルのシステム情報をUEが取得するためにどの手法を使用すべきかを示す。
【０２１６】
UEは2つの主要な手法で第2のセルのシステム情報を取得する。
【０２１７】
A：UEは、第2のセルのシステムブロードキャストを直接読み取って、第2のセルのシステム情報を取得する。
【０２１８】
B：UEは、第1の基地局によって送信される第2のセルのシステム情報を受信する。
【０２１９】
具体的には、指示メッセージはセルのリストを含んでもよく、また、指示メッセージは、前述の手法Aまたは手法Bの1つを用いて、リストに含まれているセルのすべてのシステム情報をUEが取得する必要があることを示し、あるいは、指示メッセージは周波数のリストを含んでもよく、また、指示メッセージは、前述の手法Aまたは手法Bの1つを用いて、リストに含まれている周波数のセルのすべてのシステム情報をUEが取得する必要があることを示し、あるいは、指示メッセージは、公衆携帯電話網（英語：Public Land Mobile Network、略称：PLMN）のリストを含んでもよく、また、指示メッセージは、前述の手法Aまたは手法Bの1つを用いて、リストに含まれているPLMN上のセルのすべてのシステム情報をUEが取得する必要があることを示す。
【０２２０】
ステップ203：第1の基地局は、第2の基地局によって送信される指示メッセージを受信する。
【０２２１】
指示メッセージを用いて、UEへ通知メッセージを送信するように第1の基地局に指示し、第1の基地局は、管理されている第1のセルを用いてUEへ通知メッセージを送信し、この場合、通知メッセージを用いて、第2の基地局によって管理されている第2のセルのシステム情報を取得するようにUEに指示する。
【０２２２】
第2の基地局によって送信される指示メッセージの異なる受信物にしたがって、第1の基地局は、第2の基地局によって送信される指示メッセージを直接受信してもよいし、第2の基地局によって送信される指示メッセージをMMEから取得してもよい。
【０２２３】
第1の基地局は、取得された指示メッセージから、以下の情報のうちの少なくとも1つを取得してもよい。
【０２２４】
第1：第2の基地局によって管理される第2のセルのセル識別子。
【０２２５】
第2の基地局によって管理される第2のセルの識別子は、第2の基地局によって管理されるすべての第2のセルのセル識別子であってもよいし、システム情報が変化する第2のセルの識別子であってもよい。
【０２２６】
好ましい実施手法においては、本発明の実施の形態2において提供される技術的解決手段では、指示メッセージが第2のセルのセル識別子を含む場合、第2のセルは、システム情報が変化するセルである。
【０２２７】
セル識別子は以下の手法のうちの少なくとも1つを含む。
【０２２８】
A：セル識別子は、セルの物理セル識別子、およびセルが位置する場所の周波数の識別子であってもよい。
【０２２９】
本発明の実施の形態2において提供される技術的解決手段では、異なる周波数のセルが1つのPCIを共有してもよい。これによると、PCIを用いてセルを識別するとき、PCIを周波数識別子と組み合わせる必要があり、これにより、セル識別の正確度が改善する。
【０２３０】
B：セル識別子はセルのECGIであってもよい。
【０２３１】
第2：第2のセルのシステム情報が変化する時間。
【０２３２】
第2のセルのシステム情報が変化する時間はSFNであってもよい。SFNは第1のセルまたは第2のセルのシステムフレームの指示であり、第2のセルでは、システムフレームの開始時点または終了時点にシステム情報を変更してもよい。これの代わりに、第2のセルではまた、システムフレームの後の所定の時点にシステム情報を変更してもよい。たとえば、第2のセルのシステム情報が変化する時間が第1のセルのシステムフレームNの指示である場合、第2のセルは、第1のセルのシステムフレームN＋mの開始時点または終了時点にシステム情報を変更し、ここで、mは1，2，3などであってもよく、値はシステムのデフォルト値であるか、あるいはUE用に第1の基地局によって予め設定される。
【０２３３】
第3：第2のセルのシステム情報の変更されたコンテンツ。
【０２３４】
手法は、変化することになる第2のセルのシステム情報中のコンテンツであってもよい。変化することになる第2のセルのシステム情報中のコンテンツは、以下のうちの少なくとも1つを含んでもよい。
【０２３５】
A：D2Dリソース設定。
【０２３６】
すなわち、第2のセルにおいてD2Dを実行するUEによって用いられる受信または送信リソースである。
【０２３７】
B：セル再選択設定。
【０２３８】
C：システム情報のブロック（英語：Block）。
【０２３９】
たとえば、第2のセルのD2Dリソース設定が変化することになる場合、指示メッセージは、D2Dリソース設定が変化することになるという指示を含む。第2のセルのセル再選択設定が変化することになる場合、指示メッセージは、セル再選択設定が変化することになるという指示を含む。第2のセルのシステム情報ブロック19（英語：System Information Block 19、略称：SIB19）が変化することになる場合、指示メッセージは、SIB19が変化することになるという指示を含む。
【０２４０】
第4：第2のセルのシステム情報のすべてまたは一部。
【０２４１】
この手法では、指示メッセージは第2のセルのシステム情報のすべてを含んでもよく、すなわち、第2のセルの最新のシステム情報であってもよく、あるいは、第2のセルの最新のシステム情報の一部であってもよい。たとえば、第2のセルのシステム情報中のD2Dリソース設定が変化する場合、情報は、変更されたD2Dリソース設定を含む、第2のセルのシステム情報であってもよいし、変更されたD2Dリソース設定のみであってもよい。
【０２４２】
第5：第2のセルのシステム情報をUEが取得するための手法。
【０２４３】
指示メッセージは、第2のセルのシステム情報をUEが取得するための手法を示す情報をさらに含んでもよい。この情報は、第2のセルのシステム情報をUEが取得するためにどの手法を使用すべきかを示す。
【０２４４】
UEは主に2つの手法で第2のセルのシステム情報を取得する。
【０２４５】
A：UEは、第2のセルのシステムブロードキャストを読み取って、第2のセルのシステム情報を取得する。
【０２４６】
B：UEは、第1の基地局によって送信される第2のセルのシステム情報を受信する。
【０２４７】
具体的には、指示メッセージはセルのリストを含んでもよく、また、指示メッセージは、前述の手法Aまたは手法Bの1つを用いて、リストに含まれているセルのすべてのシステム情報をUEが取得する必要があることを示し、あるいは、指示メッセージは周波数のリストを含んでもよく、また、指示メッセージは、前述の手法Aまたは手法Bの1つを用いて、リストに含まれている周波数のセルのすべてのシステム情報をUEが取得する必要があることを示し、あるいは、指示メッセージは、PLMNのリストを含んでもよく、また、指示メッセージは、前述の手法Aまたは手法Bの1つを用いて、リストに含まれているPLMN上のセルのすべてのシステム情報をUEが取得する必要があることを示す。
【０２４８】
前述から理解することができるように、第1の基地局が受信する指示メッセージに含まれる情報にしたがって、第1の基地局によってUEへ送信される通知メッセージは、第2の基地局によって管理されている第2のセルのセル識別子、第2のセルのシステム情報が変化する時間、第2のセルのシステム情報の変更されたコンテンツ、第2のセルのシステム情報のすべてまたは一部、第2のセルのシステム情報をUEが取得するための手法を示す情報などの取得される指示メッセージ中の情報を含んでもよい。具体的な詳細については、前述の内容の詳細な説明を参照し、これ以上の詳細は説明しない。
【０２４９】
本発明のこの実施の形態において提供される前述の技術的解決手段では、第2の基地局によって送信される指示メッセージを受信しないとき、第1の基地局はこの場合もUEへ通知メッセージを送信してもよい。この場合、通知メッセージ中の情報は、指示メッセージを用いて第2の基地局によって第1の基地局へ送信される代わりに、第1の基地局によって生成される。たとえば、第1の基地局へ指示メッセージを第2の基地局が送信せず、第2の基地局の第2のセルのシステム情報をUEが取得する必要があると第1の基地局が判断し、システム情報をUEが取得するための手法を第1の基地局が決定する場合、第1の基地局はUEへ通知メッセージを送信してもよく、このメッセージは、第1の基地局によって決定された、第2の基地局の第2のセルのシステム情報をUEが取得するための手法を含む。
【０２５０】
第2の基地局によって送信される指示メッセージを受信した後に、第1の基地局は、指示メッセージ中で搬送されたいくつかの情報に適切な変換をさらに行ってもよく、その後、変換後に取得される新しい情報を通知メッセージに入れてもよく、通知メッセージをUEへ送信する。たとえば、第1の基地局は第2の基地局によって送信される指示メッセージを受信し、この場合、指示メッセージは、第2のセルのシステム情報が変化する時間を含み、ただし、時間は第2のセルのSFNであり、第1の基地局は、第2のセルのSFNを第1のセルのSFNに変換してもよく、その後、第2のセルのシステム情報が変化する時間として変換を通じて取得される第1のセルのSFNを用い、時間を通知メッセージに入れ、通知メッセージをUEへ送信する。
【０２５１】
ステップ204：第1の基地局はUEへ通知メッセージを送信する。
【０２５２】
UEへ通知メッセージを第1の基地局が送信することは、第1のセル内のすべてのUEへ通知メッセージを送信することであってもよいし、第1のセルにある、D2D通信モードにあるUEへ通知メッセージを送信することであってもよい。
【０２５３】
第1のセルにある、D2D通信モードにあるUEへ通知メッセージを第1の基地局が送信する場合、第1の基地局は、どのUEがD2D通信モードにあるか学習する必要がある。
【０２５４】
D2D通信モードのUEは以下のうちの少なくとも1つを含む。
【０２５５】
A：第2のセルにあるD2DモードのUE。
【０２５６】
この手法では、第2のセルにある、D2DモードにあるUEは、第2のセルにより提供されるリソース設定を用いてD2D通信モードを実行するUEを指す。
【０２５７】
B：第2のセルが位置する場所の周波数のD2DモードにあるUE。
【０２５８】
第1の基地局は、以下の手法のうちの少なくとも1つにしたがって、どのUEがD2D通信モードにあるかを学習する。
【０２５９】
第1の手法：第1の基地局はD2D通信モードにあるUEをMMEから学習する。
【０２６０】
この手法では、第1の基地局は、D2D通信モードにあるUEをMMEから取得する。
【０２６１】
第2の手法：第1の基地局はD2D通信モードにあるUEを第2の基地局から取得する。
【０２６２】
第3の手法：第1の基地局は、保存されている、D2D通信モードにあるUEを取得する。
【０２６３】
この手法では、第1の基地局は、どのUEがD2D通信モードにあるかについての情報を予め保存する。
【０２６４】
前述の3つの手法では、D2D通信モードを用いてデータを伝送する前、UEは、MME、第2の基地局または第1の基地局についての認証を実行する必要があり、MME、第2の基地局または第1の基地局についての認証が成功するときのみ、UEはD2D通信モードでデータを伝送することができる。したがって、第2の基地局、MMEまたは第1の基地局の1つまたはすべてが、どのUEがD2D通信モードにあるかについての情報を保存する。
【０２６５】
ステップ205：管理されている第1のセルを用いて第1の基地局によって送信される通知メッセージを受信する。
【０２６６】
ステップ206：UEは、受信した通知メッセージにしたがって、第2の基地局によって管理されている第2のセルのシステム情報を取得する。
【０２６７】
UEが受信した通知メッセージを用いて、第2の基地局によって管理されている第2のセルのシステム情報を取得するようにUEに指示する。
【０２６８】
UEが受信する通知メッセージは以下の情報のうちの少なくとも1つを含んでもよい。
【０２６９】
第1：第2の基地局によって管理される第2のセルのセル識別子。
【０２７０】
第2の基地局によって管理される第2のセルの識別子は、第2の基地局によって管理されるすべての第2のセルのセル識別子であってもよいし、システム情報が変化する第2のセルの識別子であってもよい。
【０２７１】
好ましい実施手法においては、本発明の実施の形態2において提供される技術的解決手段では、通知メッセージが第2のセルのセル識別子を含む場合、第2のセルは、システム情報が変化するセルである。
【０２７２】
セル識別子は以下の手法のうちの少なくとも1つを含む。
【０２７３】
A：セル識別子は、セルの物理セル識別子、およびセルが位置する場所の周波数の識別子であってもよい。
【０２７４】
本発明の実施の形態2において提供される技術的解決手段では、異なる周波数のセルが1つのPCIを共有してもよい。これによると、PCIを用いてセルを識別するとき、PCIを周波数識別子と組み合わせる必要があり、これにより、セル識別の正確度が改善する。
【０２７５】
B：セル識別子はセルのECGIであってもよい。
【０２７６】
この手法では、UEは、受信した通知メッセージにしたがって、第2の基地局によって管理されている第2のセルのシステム情報を取得し、この場合、第2のセルは、通知メッセージ中のセル識別子に対応する第2のセルである。
【０２７７】
第2：第2のセルのシステム情報が変化する時間。
【０２７８】
第2のセルのシステム情報が変化する時間はSFNであってもよい。SFNは第1のセルまたは第2のセルのシステムフレームの指示であり、第2のセルでは、システムフレームの開始時点または終了時点にシステム情報を変更してもよい。これの代わりに、第2のセルではまた、システムフレームの後の所定の時点にシステム情報を変更してもよい。たとえば、第2のセルのシステム情報が変化する時間が第1のセルのシステムフレームNの指示である場合、第2のセルは、第1のセルのシステムフレームN＋mの開始時点または終了時点にシステム情報を変更し、ここで、mは1，2，3などであってもよく、値はシステムのデフォルト値であるか、あるいはUE用に第1の基地局によって予め設定される。
【０２７９】
この手法では、UEは、受信した通知メッセージ内にある、第2のセルのシステム情報が変化する時間にしたがって、第2の基地局によって管理されている第2のセルのシステム情報を取得する。
【０２８０】
好ましい実施手法では、通知メッセージがセル識別子をさらに含む場合、UEは、受信した通知メッセージ内にある、第2のセルのシステム情報が変化する時間にしたがって、セル識別子に対応する第2のセルのシステム情報を取得する。たとえば、UEは、情報によって示される時点に第2のセルのシステム情報を取得してもよい。
【０２８１】
この手法では、第1の基地局によって送信されて、UEが受信する通知メッセージが、第2のセルのシステム情報が変化する時間を含まない場合、UEは、第2のセルのシステム情報が変化する時間を以下の2つの手法で取得してもよい。
【０２８２】
1）通知メッセージを受信するとき、第2のセル識別子に対応する第2のセルのシステム情報を取得する。
【０２８３】
第1の基地局によって送信される通知メッセージを受信するとき、UEは、第2のセル識別子に対応する第2のセルの、通知メッセージ中のシステム情報を直ちに取得し始める。
【０２８４】
2）UEは、通知メッセージが受信された時間にしたがって、第2のセルのシステム情報を取得する時間を決定し、第2のセルのシステム情報を取得する時間に達するとき、第2のセル識別子に対応する第2のセルのシステム情報を取得する。
【０２８５】
たとえば、時間をいくつかの連続したシステム情報修正期間（英語：Modification Period、略称：MP）に予め分割してもよく、この場合、各MPは、第1のセルのいくつかの連続したシステムフレーム（英語：System Frame、略称：SF）を含む。第1の基地局がN番目のMPで通知メッセージをUEへ送信していた場合、UEは、（N＋m）番目のMPで第2のセルのシステムブロードキャストを読み取り始めて、第2のセルのシステム情報を取得するか、あるいは、UEは、（N＋m）番目のMPで第1の基地局に対する接続要求を開始し始めて、確立された接続で、第1の基地局によって送信される第2のセルのシステム情報を受信し、ここで、mの値は1，2，3などであってもよく、あるいは、mの値はシステムのデフォルト値であってもよいし、UE用に第1の基地局によって予め設定されてもよい。
【０２８６】
第3：第2のセルのシステム情報の変更されたコンテンツ。
【０２８７】
この手法は、第2のセルのシステム情報中のどのコンテンツが変化するかについてのものであってもよい。UEは、受信した通知メッセージ中にある第2のセルのシステム情報の変更されたコンテンツにしたがって、第2のセルのシステム情報を再び取得する必要があると判断するとき、第2の基地局によって管理されている第2のセルのシステム情報を取得する。
【０２８８】
この手法では、通知メッセージは、第2のセルのシステム情報のどのコンテンツが変化するかについての情報を含み、それに応じてUEは、第2のセルのシステム情報を再び取得する必要があるか否かを判断してもよい。UEは、通知メッセージによって示されている、第2のセルのシステム情報のどのコンテンツが変化するかについての情報にしたがって、第2のセルのシステム情報を再び取得する必要があるか否かを判断し、第2のセルのシステム情報を再び取得する必要があると判断した後、第2のセル識別子に対応する第2のセルのシステム情報を取得する。
【０２８９】
変化することになる第2のセルのシステム情報中のコンテンツは、以下のうちの少なくとも1つを含んでもよい。
【０２９０】
A：D2Dリソース設定。
【０２９１】
すなわち、第2のセルにおいてD2Dを実行するUEによって用いられる受信または送信リソースである。
【０２９２】
B：セル再選択設定。
【０２９３】
C：システム情報のブロック（英語：Block）。
【０２９４】
たとえば、第2のセルのD2Dリソース設定が変化することになる場合、通知メッセージは、D2Dリソース設定が変化することになるという指示を含む。第2のセルのセル再選択設定が変化することになる場合、通知メッセージは、セル再選択設定が変化することになるという指示を含む。第2のセルのシステム情報ブロック19（英語：System Information Block 19、略称：SIB19）が変化することになる場合、通知メッセージは、SIB19が変化することになるという指示を含む。
【０２９５】
たとえば、通知メッセージが、第2のセルのシステム情報中のD2Dリソース設定が変化することになるという情報を含むとき、第2のセルのD2Dリソース設定を用いているUEは、第2のセルのシステム情報を再び取得する必要があり、別のUEは第2のセルのシステム情報を取得しなくてもよい。
【０２９６】
別の例については、通知メッセージが、第2のセルのシステム情報中のSIB19が変化することになるという情報を含むとき、第2のセルのSIB19を用いているUEは、第2のセルのシステム情報を再び取得する必要があり、別のUEは第2のセルのシステム情報を取得しなくてもよい。
【０２９７】
第4：第2のセルのシステム情報のすべてまたは一部。
【０２９８】
この手法では、通知メッセージは第2のセルのシステム情報のすべてを含んでもよく、すなわち、第2のセルの最新のシステム情報であってもよく、あるいは、第2のセルの最新のシステム情報の一部であってもよい。たとえば、第2のセルのシステム情報中のD2Dリソース設定が変化する場合、情報は、変更されたD2Dリソース設定を含む、第2のセルのシステム情報であってもよいし、変更されたD2Dリソース設定のみであってもよい。
【０２９９】
第5：第2のセルのシステム情報をUEが取得するための手法。
【０３００】
通知メッセージは、第2のセルのシステム情報をUEが取得するための手法を示す情報をさらに含んでもよい。この情報は、第2のセルのシステム情報をUEが取得するためにどの手法を使用すべきかを示す。UEは、受信した通知メッセージ中にある、第2のセルのシステム情報を取得するための手法にしたがって、第2の基地局によって管理されている第2のセルのシステム情報を取得する。
【０３０１】
UEは2つの主要な手法で第2のセルのシステム情報を取得する。
【０３０２】
A：UEは、第2のセルのシステムブロードキャストを読み取って、第2のセルのシステム情報を取得する。
【０３０３】
B：UEは、第1の基地局によって送信される第2のセルのシステム情報を受信する。
【０３０４】
具体的には、通知メッセージはセルのリストを含んでもよく、また、通知メッセージは、前述の手法Aまたは手法Bの1つを用いて、リストに含まれているセルのすべてのシステム情報をUEが取得する必要があることを示し、あるいは、通知メッセージは周波数のリストを含んでもよく、また、通知メッセージは、前述の手法Aまたは手法Bの1つを用いて、リストに含まれている周波数のセルのすべてのシステム情報をUEが取得する必要があることを示し、あるいは、通知メッセージは、PLMNのリストを含んでもよく、また、通知メッセージは、前述の手法Aまたは手法Bの1つを用いて、リストに含まれているPLMN上のセルのすべてのシステム情報をUEが取得する必要があることを示す。
【０３０５】
通知メッセージが第2のセルのシステム情報のすべてまたは一部を含むとき、UEは通知メッセージから第2のセルのシステム情報を直接取得する。通知メッセージが第2のセルのシステム情報のすべてまたは一部を含まないとき、UEは、前述の2つの手法のうちの1つを選択することによって第5の情報にしたがって第2のセルのシステム情報を取得する。第1の手法を用いて第2のセルのシステム情報をUEが取得することを第5の情報が示す場合、UEは、第2のセルのシステムブロードキャストを読み取って、第2のセルのシステム情報を取得する。
【０３０６】
第2の手法を用いて第2のセルのシステム情報をUEが取得することを第5の情報が示す場合には、UEと第1の基地局とが接続されるとき、UEは、第1の基地局によって送信される第2のセルのシステム情報を当該接続で受信し、UEと第1の基地局とが接続されていないとき、UEは、第1の基地局との接続を確立する、第1の基地局に対する接続要求を開始し、第1の基地局によって送信される第2のセルのシステム情報を確立された接続で受信する。
【０３０７】
実施の形態3
本発明の実施の形態3により情報通知システムが提供される。システムアーキテクチャについて図1を参照する。システムは、少なくとも1つの第2のセルと、少なくとも1つの第1のセルと、少なくとも1つのUEとを含み、また、少なくとも1つのMMEをさらに含んでもよい。説明を簡単にするために、第1のセルが属する基地局を第1の基地局と呼び、第2のセルが属する基地局を第2の基地局と呼ぶ。以下の記載では、第1の基地局の第1のセルと、第1の基地局によって管理される第1のセルとは同じ意味を持ち、第2の基地局の第2のセルと、第2の基地局によって管理される第2のセルとは同じ意味を持つ。第2の基地局と第1の基地局とは異なる基地局であってもよいし、同じ基地局であってもよい。第2の基地局と第1の基地局とが同じ基地局であるとき、各実施の形態では、第2の基地局と第1の基地局との間の情報交換は、同じ基地局の内部のモジュール間の情報交換である。
【０３０８】
本発明の実施の形態3において提供される情報通知システムでは、同じ周波数の複数の第2のセルが存在してもよく、UEはD2D通信モードを用いて第2のセルにおいてデータを伝送してもよい。
【０３０９】
第2の基地局は指示メッセージを送信するように構成されている。
【０３１０】
第1の基地局は第1のセルを管理し、第2の基地局は第2のセルを管理し、指示メッセージは、第2のセルのシステム情報が変化することを通知するための第2の基地局のメッセージである。
【０３１１】
第1の基地局は、受信した指示メッセージにしたがって、第2の基地局によって管理されている第2のセルのシステム情報を取得し、管理されている第1のセルを用いてUEへシステム情報を送信するように構成されている。
【０３１２】
第2の基地局によって送信される指示メッセージは、以下の情報のうちの少なくとも1つを含んでもよい。
【０３１３】
第1：第2の基地局によって管理される第2のセルのセル識別子。
【０３１４】
第2の基地局によって管理される第2のセルの識別子は、第2の基地局によって管理されるすべての第2のセルのセル識別子であってもよいし、システム情報が変化する第2のセルの識別子であってもよい。
【０３１５】
好ましい実施手法においては、本発明の実施の形態2において提供される技術的解決手段では、指示メッセージが第2のセルのセル識別子を含む場合、第2のセルは、システム情報が変化するセルである。
【０３１６】
セル識別子は以下の手法のうちの少なくとも1つを含む。
【０３１７】
A：セル識別子は、セルの物理セル識別子、およびセルが位置する場所の周波数の識別子であってもよい。
【０３１８】
本発明の実施の形態3において提供される技術的解決手段では、異なる周波数のセルが1つのPCIを共有してもよい。これによると、PCIを用いてセルを識別するとき、PCIを周波数識別子と組み合わせる必要があり、これにより、セル識別の正確度が改善する。
【０３１９】
B：セル識別子はセルのECGIであってもよい。
【０３２０】
この手法では、第1の基地局は、セル識別子に対応する第2のセルのシステム情報を取得する。
【０３２１】
好ましい実施手法では、第1の基地局は第2の基地局との接続を確立して、セル識別子に対応する第2のセルのシステム情報を取得し、かつ／または、第1の基地局はMMEとの接続を確立して、セル識別子に対応する第2のセルのシステム情報を取得する。
【０３２２】
第2：第2のセルのシステム情報が変化する時間。
【０３２３】
第2のセルのシステム情報が変化する時間はSFNであってもよい。SFNは第1のセルまたは第2のセルのシステムフレームの指示であり、第2のセルでは、システムフレームの開始時点または終了時点にシステム情報を変更してもよい。これの代わりに、第2のセルではまた、システムフレームの後の所定の時点にシステム情報を変更してもよい。たとえば、第2のセルのシステム情報が変化する時間が第1のセルのシステムフレームNの指示である場合、第2のセルは、第1のセルのシステムフレームN＋mの開始時点または終了時点にシステム情報を変更し、ここで、mは1，2，3などであってもよく、値はシステムのデフォルト値であるか、あるいは第1の基地局によって予め設定される。
【０３２４】
この手法では、UEは、受信した指示メッセージ内にある、第2のセルのシステム情報が変化する時間にしたがって、第2の基地局によって管理されている第2のセルのシステム情報を取得する。
【０３２５】
好ましい実施手法では、指示メッセージがセル識別子をさらに含む場合、第1の基地局は、受信した通知メッセージ内にある、第2のセルのシステム情報が変化する時間にしたがって、セル識別子に対応する第2のセルのシステム情報を取得する。たとえば、第1の基地局は、情報によって示される時間に第2のセルのシステム情報を取得してもよい。
【０３２６】
この手法では、第1の基地局が受信する指示メッセージが、第2のセルのシステム情報が変化する時間を含まない場合、第1の基地局は、第2のセルのシステム情報が変化する時間を以下の2つの手法で取得してもよい。
【０３２７】
1）通知メッセージを受信するとき、第2のセル識別子に対応する第2のセルのシステム情報を取得する。
【０３２８】
指示メッセージを受信するとき、第1の基地局は、第2のセル識別子に対応する第2のセルの、指示メッセージ中のシステム情報を直ちに取得し始める。
【０３２９】
2）第1の基地局は、指示メッセージが受信された時間にしたがって、第2のセルのシステム情報を取得する時間を決定し、第2のセルのシステム情報を取得する時間に達するとき、第2のセル識別子に対応する第2のセルのシステム情報を取得する。
【０３３０】
たとえば、時間をいくつかの連続したシステム情報MPに予め分割してもよく、この場合、各MPは、第1のセルのいくつかの連続したSFを含む。第2の基地局がN番目のMPで指示メッセージを第1の基地局へ送信していた場合、第1の基地局は、（N＋m）番目のMPで第2のセルのシステムブロードキャストを読み取り始めて、第2のセルのシステム情報を取得する。
【０３３１】
第3：第2のセルのシステム情報の変更されたコンテンツ。
【０３３２】
手法は、変化することになる第2のセルのシステム情報中のコンテンツであってもよい。変化することになる第2のセルのシステム情報中のコンテンツは、以下のうちの少なくとも1つを含んでもよい。
【０３３３】
A：D2Dリソース設定。
【０３３４】
すなわち、第2のセルにおいてD2Dを実行するUEによって用いられる受信または送信リソースである。
【０３３５】
B：セル再選択設定。
【０３３６】
C：システム情報のブロックBlock。
【０３３７】
たとえば、第2のセルのD2Dリソース設定が変化することになる場合、指示メッセージは、D2Dリソース設定が変化することになるという指示を含む。第2のセルのセル再選択設定が変化することになる場合、指示メッセージは、セル再選択設定が変化することになるという指示を含む。第2のセルのSIB19が変化することになる場合、指示メッセージは、SIB19が変化することになるという指示を含む。
【０３３８】
第4：第2のセルのシステム情報のすべてまたは一部。
【０３３９】
この手法では、指示メッセージは第2のセルのシステム情報のすべてを含んでもよく、すなわち、第2のセルの最新のシステム情報であってもよく、あるいは、第2のセルの最新のシステム情報の一部であってもよい。たとえば、第2のセルのシステム情報中のD2Dリソース設定が変化する場合、情報は、変更されたD2Dリソース設定を含む、第2のセルのシステム情報であってもよいし、変更されたD2Dリソース設定のみであってもよい。
【０３４０】
UEは、第1の基地局によって送信される第2のセルのシステム情報を取得するように構成されている。
【０３４１】
実施の形態4
前述の実施の形態3において提供されている情報通知システムに基づいて、本発明の実施の形態4により情報通知方法が提供される。本発明の実施の形態4において提供されている技術的解決手段は、少なくとも1つの第2のセルと、少なくとも1つの第1のセルと、少なくとも1つのUEとを含み、また、少なくとも1つのMMEをさらに含んでもよい。説明を簡単にするために、第1のセルが属する基地局を第1の基地局と呼び、第2のセルが属する基地局を第2の基地局と呼ぶ。以下の記載では、第1の基地局の第1のセルと、第1の基地局によって管理される第1のセルとは同じ意味を持ち、第2の基地局の第2のセルと、第2の基地局によって管理される第2のセルとは同じ意味を持つ。第2の基地局と第1の基地局とは異なる基地局であってもよいし、同じ基地局であってもよい。第2の基地局と第1の基地局とが同じ基地局であるとき、各実施の形態では、第2の基地局と第1の基地局との間の情報交換は、同じ基地局の内部のモジュール間の情報交換である。
【０３４２】
同じ周波数の複数の第2のセルが存在してもよく、UEはD2D通信モードを用いて第2のセルにおいてデータを伝送してもよい。図3に示されているように、具体的な処理手順は以下の通りである。
【０３４３】
ステップ301：第2の基地局は指示メッセージを送信する。
【０３４４】
第1の基地局は第1のセルを管理し、第2の基地局は第2のセルを管理し、指示メッセージは、第2のセルのシステム情報が変化することを通知するための第2の基地局のメッセージである。
【０３４５】
ステップ302：第1の基地局は、受信した指示メッセージにしたがって、第2の基地局によって管理されている第2のセルのシステム情報を取得する。
【０３４６】
第2の基地局によって送信される指示メッセージは、以下の情報のうちの少なくとも1つを含んでもよい。
【０３４７】
第1：第2の基地局によって管理される第2のセルのセル識別子。
【０３４８】
第2の基地局によって管理される第2のセルの識別子は、第2の基地局によって管理されるすべての第2のセルのセル識別子であってもよいし、システム情報が変化する第2のセルの識別子であってもよい。
【０３４９】
好ましい実施手法においては、本発明の実施の形態4において提供される技術的解決手段では、指示メッセージが第2のセルのセル識別子を含む場合、第2のセルは、システム情報が変化するセルである。
【０３５０】
セル識別子は以下の手法のうちの少なくとも1つを含む。
【０３５１】
A：セル識別子は、セルの物理セル識別子、およびセルが位置する場所の周波数の識別子であってもよい。
【０３５２】
本発明の実施の形態4において提供される技術的解決手段では、異なる周波数のセルが1つのPCIを共有してもよい。これによると、PCIを用いてセルを識別するとき、PCIを周波数識別子と組み合わせる必要があり、これにより、セル識別の正確度が改善する。
【０３５３】
B：セル識別子はセルのECGIであってもよい。
【０３５４】
この手法では、第1の基地局は、セル識別子に対応する第2のセルのシステム情報を取得する。
【０３５５】
好ましい実施手法では、第1の基地局は第2の基地局との接続を確立して、セル識別子に対応する第2のセルのシステム情報を取得し、かつ／または、第1の基地局はMMEとの接続を確立して、セル識別子に対応する第2のセルのシステム情報を取得する。
【０３５６】
第2：第2のセルのシステム情報が変化する時間。
【０３５７】
第2のセルのシステム情報が変化する時間はSFNであってもよい。SFNは第1のセルまたは第2のセルのシステムフレームの指示であり、第2のセルでは、システムフレームの開始時点または終了時点にシステム情報を変更してもよい。これの代わりに、第2のセルではまた、システムフレームの後の所定の時点にシステム情報を変更してもよい。たとえば、第2のセルのシステム情報が変化する時間が第1のセルのシステムフレームNの指示である場合、第2のセルは、第1のセルのシステムフレームN＋mの開始時点または終了時点にシステム情報を変更し、ここで、mは1，2，3などであってもよく、値はシステムのデフォルト値であるか、あるいは第1の基地局によって予め設定される。
【０３５８】
この手法では、UEは、受信した指示メッセージ内にある、第2のセルのシステム情報が変化する時間にしたがって、第2の基地局によって管理されている第2のセルのシステム情報を取得する。
【０３５９】
好ましい実施手法では、指示メッセージがセル識別子をさらに含む場合、第1の基地局は、受信した通知メッセージ内にある、第2のセルのシステム情報が変化する時間にしたがって、セル識別子に対応する第2のセルのシステム情報を取得する。たとえば、第1の基地局は、情報によって示される時間に第2のセルのシステム情報を取得してもよい。
【０３６０】
この手法では、第1の基地局が受信する指示メッセージが、第2のセルのシステム情報が変化する時間を含まない場合、第1の基地局は、第2のセルのシステム情報が変化する時間を以下の2つの手法で取得してもよい。
【０３６１】
1）通知メッセージを受信するとき、第2のセル識別子に対応する第2のセルのシステム情報を取得する。
【０３６２】
指示メッセージを受信するとき、第1の基地局は、第2のセル識別子に対応する第2のセルの、指示メッセージ中のシステム情報を直ちに取得し始める。
【０３６３】
2）第1の基地局は、指示メッセージが受信された時間にしたがって、第2のセルのシステム情報を取得する時間を決定し、第2のセルのシステム情報を取得する時間に達するとき、第2のセル識別子に対応する第2のセルのシステム情報を取得する。
【０３６４】
たとえば、時間をいくつかの連続したシステム情報MPに予め分割してもよく、この場合、各MPは、第1のセルのいくつかの連続したSFを含む。第2の基地局がN番目のMPで指示メッセージを第1の基地局へ送信していた場合、第1の基地局は、（N＋m）番目のMPで第2のセルのシステムブロードキャストを読み取り始めて、第2のセルのシステム情報を取得する。
【０３６５】
第3：第2のセルのシステム情報の変更されたコンテンツ。
【０３６６】
手法は、変化することになる第2のセルのシステム情報中のコンテンツであってもよい。変化することになる第2のセルのシステム情報中のコンテンツは、以下のうちの少なくとも1つを含んでもよい。
【０３６７】
A：D2Dリソース設定。
【０３６８】
すなわち、第2のセルにおいてD2Dを実行するUEによって用いられる受信または送信リソースである。
【０３６９】
B：セル再選択設定。
【０３７０】
C：システム情報のブロックBlock。
【０３７１】
たとえば、第2のセルのD2Dリソース設定が変化することになる場合、指示メッセージは、D2Dリソース設定が変化することになるという指示を含む。第2のセルのセル再選択設定が変化することになる場合、指示メッセージは、セル再選択設定が変化することになるという指示を含む。第2のセルのSIB19が変化することになる場合、指示メッセージは、SIB19が変化することになるという指示を含む。
【０３７２】
第4：第2のセルのシステム情報のすべてまたは一部。
【０３７３】
この手法では、指示メッセージは第2のセルのシステム情報のすべてを含んでもよく、すなわち、第2のセルの最新のシステム情報であってもよく、あるいは、第2のセルの最新のシステム情報の一部であってもよい。たとえば、第2のセルのシステム情報中のD2Dリソース設定が変化する場合、情報は、変更されたD2Dリソース設定を含む、第2のセルのシステム情報であってもよいし、変更されたD2Dリソース設定のみであってもよい。
【０３７４】
ステップ303：第1の基地局は、管理されている第1のセルを用いてUEへシステム情報を送信する。
【０３７５】
ステップ304：UEは、第1の基地局によって送信される第2のセルのシステム情報を取得する。
【０３７６】
実施の形態5
上記に対応して、本発明の実施の形態5により、その構造構成が図4に示されているユーザ端末が提供され、ユーザ端末は、
管理されている第1のセルを用いて第1の基地局によって送信される通知メッセージを受信するように構成されている受信モジュール41であって、通知メッセージを用いて、第2の基地局によって管理されている第2のセルのシステム情報を取得するようにUEに指示する、受信モジュール41と、
受信した通知メッセージにしたがって、第2の基地局によって管理されている第2のセルのシステム情報を取得するように構成されている取得モジュール42と
を含む。
【０３７７】
具体的には、通知メッセージは第2のセルのセル識別子を含み、取得モジュール42は、受信した通知メッセージに含まれる第2のセルのセル識別子にしたがって、第2の基地局によって管理されている第2のセルのシステム情報を取得するように特に構成されている。
【０３７８】
具体的には、通知メッセージは第2のセルのシステム情報が変化する時間を含み、取得モジュール42は、受信した通知メッセージ内にある、第2のセルのシステム情報が変化する時間にしたがって、第2の基地局によって管理されている第2のセルのシステム情報を取得するように特に構成されている。
【０３７９】
具体的には、通知メッセージは、第2のセルのシステム情報の変更されたコンテンツを含み、取得モジュール42は、受信した通知メッセージ内にある、第2のセルのシステム情報の変更されたコンテンツにしたがって、第2のセルのシステム情報を再び取得する必要があると判断されるときに、第2の基地局によって管理されている第2のセルのシステム情報を取得するように特に構成されている。
【０３８０】
具体的には、通知メッセージは、第2のセルのシステム情報をUEが取得するための手法を示す情報を含み、取得モジュール42は、受信した通知メッセージによって示される、第2のセルのシステム情報を取得するための手法にしたがって、第2の基地局によって管理されている第2のセルのシステム情報を取得するように特に構成され、第2のセルのシステム情報を取得するための手法は、第2のセルによってブロードキャストされる第2のセルのシステム情報を読み取る手法、または、第1のセルによって送信される第2のセルのシステム情報を受信する手法である。
【０３８１】
具体的には、取得モジュール42は、受信した通知メッセージにしたがって、第2のセルによってブロードキャストされる第2のセルのシステム情報を読み取るか、または、UEがアイドル状態にある場合に、第1のセルとの接続を確立し、確立された接続で第2のセルのシステム情報を取得するように特に構成されている。
【０３８２】
上記に対応して、本発明の実施の形態5により、図5に示されているように以下を含む第1の基地局がさらに提供される。
【０３８３】
受信モジュール501は、第2の基地局によって送信される指示メッセージを受信するように構成され、指示メッセージを用いて、ユーザ装置（UE）へ通知メッセージを送信するように第1の基地局に指示する。
【０３８４】
具体的には、受信モジュール501は、第2の基地局によって送信される指示メッセージを直接受信するように、または、第2の基地局によって送信されて、モビリティ・マネージメント・エンティティ（MME）によって転送される指示メッセージを受信するように特に構成されている。
【０３８５】
送信モジュール502は、管理されている第1のセルを用いてUEへ通知メッセージを送信するように構成され、通知メッセージを用いて、第2の基地局によって管理されている第2のセルのシステム情報を取得するようにUEに指示する。
【０３８６】
具体的には、指示メッセージは第2のセルのセル識別子を含み、管理されている第1のセルを用いてUEへ送信するように特に構成されている送信モジュール502が送信する通知メッセージは、第2のセルのセル識別子をさらに含む。
【０３８７】
具体的には、指示メッセージは第2のセルのシステム情報が変化する時間を含み、管理されている第1のセルを用いてUEへ送信するように特に構成されている送信モジュール502が送信する通知メッセージは、第2のセルのシステム情報が変化する時間をさらに含む。
【０３８８】
具体的には、指示メッセージは第2のセルのシステム情報の変更されたコンテンツをさらに含み、管理されている第1のセルを用いてUEへ送信するように特に構成されている送信モジュール502が送信する通知メッセージは、第2のセルのシステム情報の変更されたコンテンツをさらに含む。
【０３８９】
具体的には、指示メッセージは、第2のセルのシステム情報をUEが取得するための手法を示す情報をさらに含み、管理されている第1のセルを用いてUEへ送信するように特に構成されている送信モジュール502が送信する通知メッセージは、第2のセルのシステム情報をUEが取得するための手法を示す情報をさらに含み、第2のセルのシステム情報をUEが取得するための手法は、第2のセルによってブロードキャストされる第2のセルのシステム情報をUEが読み取る手法、または、第1のセルによって送信される第2のセルのシステム情報をUEが受信する手法である。
【０３９０】
これらとともに、第1の基地局は、デバイス・トゥ・デバイス（D2D）通信モードにあるUEを取得するように構成されている取得モジュールをさらに含み、送信モジュールは、管理されている第1のセルを用いて取得されたUEへ通知メッセージを送信するように特に構成されてもよい。
【０３９１】
具体的には、取得モジュールは、D2D通信モードにあるUEをMMEから取得する手法、D2D通信モードにあるUEを第2の基地局から取得する手法、または、第1の基地局に保存されているD2D通信モードにあるUEを取得する手法のうちの少なくとも1つにしたがって、D2D通信モードにあるUEを取得するように特に構成されている。
【０３９２】
具体的には、取得モジュールによって取得されるD2D通信モードにあるUEは、第2のセルによって提供されるリソース設定を用いてD2D通信モードを実行するUE、または、第2のセルが位置する場所の周波数のD2D通信モードにあるUEのうちの少なくとも1つを含む。
【０３９３】
上記に対応して、本発明のこの実施の形態により、第2の基地局がさらに提供され、第2の基地局は、図6に示されているように、
第2の基地局によって管理されている第2のセルのシステム情報をユーザ装置（UE）が取得する必要があるか否かを判断するように構成されている判断モジュール601と、
第2の基地局によって管理されている第2のセルのシステム情報をUEが取得する必要があると判断されるとき、指示メッセージを第1の基地局へ送信するように構成されている送信モジュール602であって、指示メッセージを用いることで、管理されている第1のセルを用いて通知メッセージをUEへ送信するように第1の基地局に指示し、通知メッセージを用いて、第2の基地局によって管理されている第2のセルのシステム情報を取得するようにUEに指示する送信モジュール602と
を含む。
【０３９４】
具体的には、送信モジュール602は、指示メッセージを第1の基地局へ直接送信するように、または、モビリティ・マネージメント・エンティティ（MME）を用いて、指示メッセージを第1の基地局へ転送するように特に構成されている。
【０３９５】
指示メッセージは第2のセルのセル識別子を含む。
【０３９６】
具体的には、第1の基地局へ送信するように特に構成されている送信モジュール602が送信する指示メッセージは、第2のセルのセル識別子をさらに含む。
【０３９７】
指示メッセージは第2のセルのシステム情報が変化する時間を含む。
【０３９８】
具体的には、第1の基地局へ送信するように特に構成されている送信モジュール602が送信する指示メッセージは、第2のセルのシステム情報が変化する時間をさらに含む。
【０３９９】
指示メッセージは第2のセルのシステム情報の変更されたコンテンツをさらに含む。
【０４００】
具体的には、第1の基地局へ送信するように特に構成されている送信モジュール602が送信する指示メッセージは、第2のセルのシステム情報の変更されたコンテンツをさらに含む。
【０４０１】
指示メッセージは、第2のセルのシステム情報をUEが取得するための手法を示す情報をさらに含む。
【０４０２】
具体的には、第1の基地局へ送信するように特に構成されている送信モジュール602が送信する指示メッセージは、第2のセルのシステム情報をUEが取得するための手法を示す情報をさらに含み、第2のセルのシステム情報をUEが取得するための手法は、第2のセルによってブロードキャストされる第2のセルのシステム情報をUEが読み取る手法、または、第1のセルによって送信される第2のセルのシステム情報をUEが受信する手法である。
【０４０３】
実施の形態6
本発明の実施の形態6により、図7に示されているように、メモリ71と、インタフェース72と、信号プロセッサ73とを含むユーザ端末が提供される。
【０４０４】
メモリ71はプログラム指示を保存するように構成されている。
【０４０５】
メモリは、揮発性メモリ（英語：volatile memory）、たとえばランダムアクセスメモリ（英語：random-access memory、略称：RAM）、または、不揮発性メモリ（英語：non-volatile memory）、たとえば、フラッシュメモリ（英語：flash memory）、ハードディスクドライブ（英語：hard disk drive、略称：HDD）もしくはソリッド・ステート・ドライブ（英語：solid-state drive、略称：SSD）、または、上記の種類のメモリの組み合せであってもよい。
【０４０６】
インタフェース72は、管理されている第1のセルを用いて第1の基地局によって送信される通知メッセージを受信するように構成され、通知メッセージを用いて、第2の基地局によって管理されている第2のセルのシステム情報を取得するようにUEに指示する。
【０４０７】
インタフェースは、有線インタフェースを提供するネットワーク・インタフェース・コントローラ（英語：network interface controller、略称：NIC）、たとえばEthernetネットワークNIC（EthernetネットワークNICにより銅線および／またはファイバインタフェースを提供してもよい）と、無線インタフェースを提供するNIC、たとえば、無線ローカル・エリア・ネットワーク（英語：wireless local area network、略称：WLAN）NICとの1つ以上であってもよい。
【０４０８】
信号プロセッサ73は、メモリに保存されているプログラム指示、およびインタフェースが受信した通知メッセージにしたがって、第2の基地局によって管理されている第2のセルのシステム情報を取得するように構成されている。
【０４０９】
信号プロセッサ73は、メモリ71に保存されているプログラムコードにしたがって、インタフェース72によって伝送される更新されたメタデータに対応するメタデータインデックス値を取得するように構成されている。
【０４１０】
信号プロセッサは、中央処理装置（英語：central processing unit、略称：CPU）、またはCPUとハードウェアチップとの組み合せであってもよい。信号プロセッサは、さらにネットワークプロセッサ（英語：network processor、略称：NP）であってもよいし、CPUとNPとの組み合せであってもよいし、NPとハードウェアチップとの組み合せであってもよい。
【０４１１】
ハードウェアチップは、特定用途向け集積回路（英語：application-specific integrated circuit、略称：ASIC）と、フィールド・プログラマブル・ゲート・アレイ（英語：field-programmable gate array、略称：FPGA）と、複合プログラム可能論理デバイス（英語：complex programmable logic device、略称：CPLD）との1つまたはこれらよりも多くものの組み合せであってもよい。
【０４１２】
具体的には、通知メッセージは第2のセルのセル識別子を含み、信号プロセッサ73は、受信した通知メッセージに含まれる第2のセルのセル識別子にしたがって、第2の基地局によって管理されている第2のセルのシステム情報を取得するように特に構成されている。
【０４１３】
具体的には、通知メッセージは第2のセルのシステム情報が変化する時間を含み、信号プロセッサ73は、受信した通知メッセージ内にある、第2のセルのシステム情報が変化する時間にしたがって、第2の基地局によって管理されている第2のセルのシステム情報を取得するように特に構成されている。
【０４１４】
具体的には、通知メッセージは、第2のセルのシステム情報の変更されたコンテンツを含み、信号プロセッサ73は、受信した通知メッセージ内にある、第2のセルのシステム情報の変更されたコンテンツにしたがって、第2のセルのシステム情報を再び取得する必要があると判断されるときに、第2の基地局によって管理されている第2のセルのシステム情報を取得するように特に構成されている。
【０４１５】
具体的には、通知メッセージは、第2のセルのシステム情報をUEが取得するための手法を示す情報を含み、信号プロセッサ73は、受信した通知メッセージによって示される、第2のセルのシステム情報を取得するための手法にしたがって、第2の基地局によって管理されている第2のセルのシステム情報を取得するように特に構成され、第2のセルのシステム情報を取得するための手法は、第2のセルによってブロードキャストされる第2のセルのシステム情報を読み取る手法、または、第1のセルによって送信される第2のセルのシステム情報を受信する手法である。
【０４１６】
具体的には、信号プロセッサ73は、受信した通知メッセージにしたがって、第2のセルによってブロードキャストされる第2のセルのシステム情報を読み取るか、または、UEがアイドル状態にある場合に、第1のセルとの接続を確立し、確立された接続で第2のセルのシステム情報を取得するように特に構成されている。
【０４１７】
上記に対応して、本発明のこの実施の形態により、その構造構成がメモリ71と、インタフェース72と、信号プロセッサ73とを含む、図7に示されている構造と同じである第1の基地局がさらに提供される。
【０４１８】
メモリ71はプログラム指示を保存するように構成されている。
【０４１９】
メモリは、揮発性メモリ（英語：volatile memory）、たとえばランダムアクセスメモリ（英語：random-access memory、略称：RAM）、または、不揮発性メモリ（英語：non-volatile memory）、たとえば、フラッシュメモリ（英語：flash memory）、ハードディスクドライブ（英語：hard disk drive、略称：HDD）もしくはソリッド・ステート・ドライブ（英語：solid-state drive、略称：SSD）、または、上記の種類のメモリの組み合せであってもよい。
【０４２０】
インタフェース72は、第2の基地局によって送信される指示メッセージを受信するように構成され、指示メッセージを用いて、ユーザ装置（UE）へ通知メッセージを送信するように第1の基地局に指示する。
【０４２１】
インタフェースは、有線インタフェースを提供するネットワーク・インタフェース・コントローラ（英語：network interface controller、略称：NIC）、たとえばEthernetネットワークNIC（EthernetネットワークNICにより銅線および／またはファイバインタフェースを提供してもよい）と、無線インタフェースを提供するNIC、たとえば、無線ローカル・エリア・ネットワーク（英語：wireless local area network、略称：WLAN）NICとの1つ以上であってもよい。
【０４２２】
信号プロセッサ73は、メモリに保存されているプログラム指示にしたがって、管理されている第1のセルを用いてUEへ通知メッセージを送信するように構成され、通知メッセージを用いて、第2の基地局によって管理されている第2のセルのシステム情報を取得するようにUEに指示する。
【０４２３】
信号プロセッサ73は、メモリ71に保存されているプログラムコードにしたがって、インタフェース72によって伝送される更新されたメタデータに対応するメタデータインデックス値を取得するように構成されている。
【０４２４】
信号プロセッサは、中央処理装置（英語：central processing unit、略称：CPU）、またはCPUとハードウェアチップとの組み合せであってもよい。信号プロセッサは、さらにネットワークプロセッサ（英語：network processor、略称：NP）であってもよいし、CPUとNPとの組み合せであってもよいし、NPとハードウェアチップとの組み合せであってもよい。
【０４２５】
ハードウェアチップは、特定用途向け集積回路（英語：application-specific integrated circuit、略称：ASIC）と、フィールド・プログラマブル・ゲート・アレイ（英語：field-programmable gate array、略称：FPGA）と、複合プログラム可能論理デバイス（英語：complex programmable logic device、略称：CPLD）との1つまたはこれらよりも多くものの組み合せであってもよい。
【０４２６】
具体的には、インタフェース72は、第2の基地局によって送信される指示メッセージを直接受信するように、または、第2の基地局によって送信されて、モビリティ・マネージメント・エンティティ（MME）によって転送される指示メッセージを受信するように特に構成されている。
【０４２７】
具体的には、指示メッセージは第2のセルのセル識別子を含み、第1の基地局によって管理されている第1のセルを用いてUEへ送信するように特に構成されている信号プロセッサ73が送信する通知メッセージは、第2のセルのセル識別子をさらに含む。
【０４２８】
具体的には、指示メッセージは第2のセルのシステム情報が変化する時間を含み、第1の基地局によって管理されている第1のセルを用いてUEへ送信するように特に構成されている信号プロセッサ73が送信する通知メッセージは、第2のセルのセル識別子をさらに含む。
【０４２９】
具体的には、指示メッセージは、第2のセルのシステム情報の変更されたコンテンツをさらに含み、第1の基地局によって管理されている第1のセルを用いてUEへ送信するように特に構成されている信号プロセッサ73が送信する通知メッセージは、第2のセルのシステム情報の変更されたコンテンツをさらに含む。
【０４３０】
具体的には、指示メッセージは、第2のセルのシステム情報をUEが取得するための手法を示す情報をさらに含み、第1の基地局によって管理されている第1のセルを用いてUEへ送信するように特に構成されている信号プロセッサ73が送信する通知メッセージは、第2のセルのシステム情報をUEが取得するための手法を示す情報をさらに含み、第2のセルのシステム情報をUEが取得するための手法は、第2のセルによってブロードキャストされる第2のセルのシステム情報をUEが読み取る手法、または、第1のセルによって送信される第2のセルのシステム情報をUEが受信する手法である。
【０４３１】
具体的には、信号プロセッサ73は、デバイス・トゥ・デバイス（D2D）通信モードにあるUEを取得し、かつ、第1の基地局によって管理されている第1のセルを用いて、取得されたUEへ通知メッセージを送信するようにさらに構成されている。
【０４３２】
具体的には、信号プロセッサ73は、D2D通信モードにあるUEをMMEから取得する手法、D2D通信モードにあるUEを第2の基地局から取得する手法、または、第1の基地局に保存されているD2D通信モードにあるUEを取得する手法のうちの少なくとも1つにしたがって、D2D通信モードにあるUEを取得するように特に構成されている。
【０４３３】
具体的には、信号プロセッサ73は、D2D通信モードにあるUE取得するように特に構成され、信号プロセッサ73により取得される信号プロセッサ73は、第2のセルによって提供されるリソース設定を用いてD2D通信モードを実行するUE、または、第2のセルが位置する場所の周波数のD2D通信モードにあるUEのうちの少なくとも1つを含む。
【０４３４】
本発明のこの実施の形態により、その構造構成がメモリ71と、インタフェース72と、信号プロセッサ73とを含む、図7のものと同じである第2の基地局がさらに提供される。
【０４３５】
インタフェースは、有線インタフェースを提供するネットワーク・インタフェース・コントローラ（英語：network interface controller、略称：NIC）、たとえばEthernetネットワークNIC（EthernetネットワークNICにより銅線および／またはファイバインタフェースを提供してもよい）と、無線インタフェースを提供するNIC、たとえば、無線ローカル・エリア・ネットワーク（英語：wireless local area network、略称：WLAN）NICとの1つ以上であってもよい。
【０４３６】
メモリ71はプログラム指示を保存するように構成されている。
【０４３７】
メモリは、揮発性メモリ（英語：volatile memory）、たとえばランダムアクセスメモリ（英語：random-access memory、略称：RAM）、または、不揮発性メモリ（英語：non-volatile memory）、たとえば、フラッシュメモリ（英語：flash memory）、ハードディスクドライブ（英語：hard disk drive、略称：HDD）もしくはソリッド・ステート・ドライブ（英語：solid-state drive、略称：SSD）、または、上記の種類のメモリの組み合せであってもよい。
【０４３８】
信号プロセッサ73は、メモリに保存されているプログラム指示にしたがって、第2の基地局によって管理されている第2のセルのシステム情報をユーザ装置（UE）が取得する必要があるか否かを判断し、かつ、第2の基地局によって管理されている第2のセルのシステム情報をUEが取得する必要があると判断されるとき、インタフェース72を用いて指示メッセージを第1の基地局へ送信するように構成され、指示メッセージを用いることで、管理されている第1のセルを用いて通知メッセージをUEへ送信するように第1の基地局に指示し、通知メッセージを用いて、第2の基地局によって管理されている第2のセルのシステム情報を取得するようにUEに指示する。
【０４３９】
信号プロセッサは、中央処理装置（英語：central processing unit、略称：CPU）、またはCPUとハードウェアチップとの組み合せであってもよい。信号プロセッサは、さらにネットワークプロセッサ（英語：network processor、略称：NP）であってもよいし、CPUとNPとの組み合せであってもよいし、NPとハードウェアチップとの組み合せであってもよい。
【０４４０】
具体的には、信号プロセッサ73は、指示メッセージを第1の基地局へ直接送信するように、または、モビリティ・マネージメント・エンティティ（MME）を用いて、指示メッセージを第1の基地局へ転送するように特に構成されている。
【０４４１】
具体的には、指示メッセージは第2のセルのセル識別子を含み、第1の基地局へ送信するように特に構成されている信号プロセッサ73によって送信される指示メッセージは、第2のセルのセル識別子をさらに含む。
【０４４２】
具体的には、指示メッセージは第2のセルのシステム情報が変化する時間を含み、第1の基地局へ送信するように特に構成されている信号プロセッサ73が送信する指示メッセージは、第2のセルのシステム情報が変化する時間をさらに含む。
【０４４３】
具体的には、指示メッセージは第2のセルのシステム情報の変更されたコンテンツをさらに含み、第1の基地局へ送信するように特に構成されている信号プロセッサ73が送信する指示メッセージは、第2のセルのシステム情報の変更されたコンテンツをさらに含む。
【０４４４】
具体的には、指示メッセージは、第2のセルのシステム情報をUEが取得するための手法を示す情報をさらに含み、第1の基地局へ送信するように特に構成されている信号プロセッサ73が送信する指示メッセージは、第2のセルのシステム情報をUEが取得するための手法を示す情報をさらに含み、第2のセルのシステム情報をUEが取得するための手法は、第2のセルによってブロードキャストされる第2のセルのシステム情報をUEが読み取る手法、または、第1のセルによって送信される第2のセルのシステム情報をUEが受信する手法である。
【０４４５】
方法、装置（デバイス）またはコンピュータプログラムプロダクトとして本発明の実施の形態を提供し得ることは、当業者には当然である。したがって、本発明では、ハードウェアのみの実施の形態、ソフトウェアのみの実施の形態、またはソフトウェアとハードウェアとの組み合せを有する実施の形態の形態を使用し得る。さらに、本発明では、コンピュータ使用可能プログラムコードを含む1つ以上のコンピュータ使用可能記憶媒体（ディスクメモリ、CD-ROM、光メモリなどを含むが、これらに限定されない）上で実施されるコンピュータプログラムプロダクトの形態を使用し得る。
【０４４６】
本発明は、本発明の実施の形態に係る、方法、装置（デバイス）およびコンピュータプログラムプロダクトのフローチャートおよび／またはブロック図を参照して記載されている。コンピュータプログラム指示を用いて、フローチャートおよび／またはブロック図中の各プロセスおよび／または各ブロックと、フローチャートおよび／またはブロック図中のプロセスおよび／またはブロックの組み合せとを実施し得るのは当然である。汎用コンピュータ、専用コンピュータ、埋込み型プロセッサまたは他の任意のプログラム可能データ処理デバイスのプロセッサに当該コンピュータプログラム指示を設けてマシンを生成することで、コンピュータまたは他の任意のプログラム可能データ処理デバイスのプロセッサによって実行される指示により、フローチャート中の1つ以上のプロセス、および／またはブロック図中の1つ以上のブロックにおける特定の機能を実施する装置を生成してもよい。
【０４４７】
特定の手法で動作するようにコンピュータまたは他の任意のプログラム可能データ処理デバイスに指示することができる当該コンピュータプログラム指示をコンピュータ可読メモリに保存してもよく、これにより、コンピュータ可読メモリに保存される指示によって、指示装置を含む人工物が生成される。この指示装置により、フローチャート中の1つ以上のプロセス、および／またはブロック図中の1つ以上のブロックにおける特定の機能が実施される。
【０４４８】
当該コンピュータプログラム指示をコンピュータまたは別のプログラム可能データ処理デバイス上にロードすることで、オペレーション列およびステップ列をコンピュータまたは別のプログラム可能デバイス上で実行してもよく、これにより、コンピュータ実装処理が引き起こされる。したがって、コンピュータまたは別のプログラム可能デバイス上で指示を実行することで、フローチャート中の1つ以上のプロセス、および／またはブロック図中の1つ以上のブロックにおける特定の機能を実施するステップが実現される。
【０４４９】
本発明のいくつかの典型的な実施の形態が記載されているが、当業者が本基本発明概念を学習すれば、当業者はこれらの実施の形態を変更および修正することができる。したがって、以下の請求項では、本発明の範囲内に含まれる典型的な実施の形態およびすべての変更および修正をカバーするものと解釈されることを意図としている。
【０４５０】
当業者が、本発明の精神および範囲から逸脱することなく本発明に様々な修正および変更を加えることができることは自明である。これらの修正および変更が以下の請求項および均等技術によって定義される保護の範囲内に含まれる場合に限り、本発明はこれらの修正および変更をカバーするものとする。
【符号の説明】
【０４５１】
21  インタフェース
22  メモリ
41  受信モジュール
42  取得モジュール
71  メモリ
72  インタフェース
73  信号プロセッサ
501  受信モジュール
502  送信モジュール
601  判断モジュール
602  送信モジュール
【図１】
0006657380.tif 000002
【図２】
0006657380.tif 000003
【図３】
0006657380.tif 000004
【図４】
0006657380.tif 000005
【図５】
0006657380.tif 000006
【図６】
0006657380.tif 000007
【図７】
0006657380.tif 000008